(57)【特許請求の範囲】
【請求項１】
ワイヤレス通信のための方法であって、
無認可無線周波数スペクトル帯域の帯域幅を通じて複数の信号を受信することと、
前記複数の信号における干渉信号を削除するためにコードワードレベルの干渉消去（ＣＷＩＣ）を適用すべきか、シンボルレベルの干渉消去（ＳＬＩＣ）を適用すべきかを決定することと
を備え、前記決定は、前記干渉信号が前記複数の信号におけるセルラー信号のための所望の信号ウィンドウ内にあるか、サポートされた帯域幅内にあるかに少なくとも部分的に基づく、
方法。
【請求項２】
前記干渉信号が少なくとも部分的に、前記サポートされた帯域幅の外にある旨の決定がなされたとき、前記干渉信号を削除するためにＳＬＩＣを適用することをさらに備える、
請求項１に記載の方法。
【請求項３】
前記干渉信号が前記サポートされた帯域幅内にある旨の決定がなされたとき、前記干渉信号を削除するためにＣＷＩＣまたはＳＬＩＣを適用することをさらに備える、
請求項１に記載の方法。
【請求項４】
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用することをさらに備える、
請求項１に記載の方法。
【請求項５】
前記干渉信号が少なくとも部分的に前記所望の信号ウィンドウの外にある旨の決定がなされたとき、前記干渉信号を削除するためにＳＬＩＣを適用することをさらに備える、
請求項１に記載の方法。
【請求項６】
前記干渉信号が前記所望の信号ウィンドウ内にある旨の決定がなされたとき、前記干渉信号を削除するためにＣＷＩＣまたはＳＬＩＣを適用することをさらに備える、
請求項１に記載の方法。
【請求項７】
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用することをさらに備える、
請求項１に記載の方法。
【請求項８】
ワイヤレス通信のための装置であって、
無認可無線周波数スペクトル帯域の帯域幅を通じて複数の信号を受信するための手段と、
前記複数の信号における干渉信号を削除するためにコードワードレベルの干渉消去（ＣＷＩＣ）を適用すべきか、シンボルレベルの干渉消去（ＳＬＩＣ）を適用すべきかを決定するための手段と
を備え、前記決定は、前記干渉信号が前記複数の信号におけるセルラー信号のための所望の信号ウィンドウ内にあるか、サポートされた帯域幅内にあるかに少なくとも部分的に基づく、
装置。
【請求項９】
前記干渉信号が少なくとも部分的に前記サポートされた帯域幅の外にある旨の決定がなされたとき、前記干渉信号を削除するためにＳＬＩＣを適用するための手段をさらに備える、
請求項８に記載の装置。
【請求項１０】
前記干渉信号が前記サポートされた帯域幅内にある旨の決定がなされたとき、前記干渉信号を削除するためにＣＷＩＣまたはＳＬＩＣを適用するための手段をさらに備える、
請求項８に記載の装置。
【請求項１１】
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用するための手段をさらに備える、
請求項８に記載の装置。
【請求項１２】
前記干渉信号が少なくとも部分的に前記所望の信号ウィンドウの外にある旨の決定がなされたとき、前記干渉信号を削除するためにＳＬＩＣを適用するための手段をさらに備える、
請求項８に記載の装置。
【請求項１３】
前記干渉信号が前記所望の信号ウィンドウ内にある旨の決定がなされたとき、前記干渉信号を削除するためにＣＷＩＣまたはＳＬＩＣを適用するための手段をさらに備える、
請求項８に記載の装置。
【請求項１４】
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用するための手段をさらに備える、
請求項８に記載の装置。
【請求項１５】
請求項１乃至７のいずれか１項に従う方法を実行するための命令を備えるコンピュータプログラム。
【発明の詳細な説明】
【関連出願の相互参照】
【０００１】
[0001]本特許出願は、各々が本出願の譲受人に譲渡された、２０１４年８月６日に出願された、「Intra-Frequency and Inter-Rat Receiver」と題する、Ｌｕｏらによる米国特許出願第１４／４５３，４２８号、および２０１３年８月７日に出願された、「Intra-Frequency and Inter-RAT Receiver」と題する、Ｌｕｏらによる米国仮特許出願第６１／８６３，１９２号の優先権を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることのできる多元接続ネットワークであり得る。
【０００３】
[0003]ワイヤレス通信ネットワークは、いくつかのアクセスポイントを含み得る。セルラーネットワークのアクセスポイントは、ノードＢ（ＮＢ）または発展型ノードＢ（ｅＮＢ）など、いくつかの基地局を含み得る。ワイヤレスローカルエリアネットワーク（ＷＬＡＮ）のアクセスポイントは、ＷｉＦｉ（登録商標）ノードなど、いくつかのＷＬＡＮアクセスポイントを含み得る。各アクセスポイントは、いくつかのユーザ機器（ＵＥ）の通信をサポートすることができ、しばしば同時に複数のＵＥと通信することができる。同様に、各ＵＥは、いくつかのアクセスポイントと通信することができ、時々、複数のアクセスポイントおよび／または異なるアクセス技術を使用するアクセスポイントと通信することができる。アクセスポイントは、ダウンリンクおよびアップリンクを介してＵＥと通信することができる。ダウンリンク（または順方向リンク）とは、アクセスポイントからＵＥへの通信リンクを指し、アップリンク（または逆方向リンク）とは、ＵＥからアクセスポイントへの通信リンクを指す。
【０００４】
[0004]セルラーネットワークがより混雑するようになるにつれて、オペレータは容量を増大させるための方法に注目し始めている。１つの手法は、セルラーネットワークのトラフィックおよび／またはシグナリングのいくつかをオフロードするためにＷＬＡＮの使用を含むことができる。認可無線周波数スペクトル帯域の中で動作するセルラーネットワークとは異なり、Ｗｉｆｉネットワークは、一般に無認可無線周波数スペクトル帯域の中で動作するので、ＷＬＡＮ（またはＷｉｆｉネットワーク）は魅力的である。しかしながら、セルラーとびＷｉＦｉの両方のデバイスによる無認可無線周波数スペクトル帯域の使用は、セルラー通信とＷｉＦｉ通信との間の干渉につながり得る。
【発明の概要】
【０００５】
[0005]説明される特徴は、一般に、ワイヤレス通信のための１つまたは複数の改善された方法、システム、および／または装置に関する。より詳細には、記載された特徴は、無認可無線周波数スペクトル帯域（たとえば、ＷｉＦｉスペクトル）におけるセルラー信号の受信とともに干渉信号の受信から生じる影響の除去または軽減に関する。
【０００６】
[0006]ワイヤレス通信のための方法について説明する。一構成では、無認可無線周波数スペクトル帯域の帯域幅を通じて少なくともワイヤレスローカルエリアネットワーク（ＷＬＡＮ）信号とセルラー信号とを含む複数の信号が受信され得る。複数の信号のデジタルサンプルがバッファに記憶され得る。バッファのコンテンツがセルラー受信機によるセルラー信号の復調および復号のために周波数領域に変換される前に、記憶されたデジタルサンプルからＷＬＡＮ信号の少なくとも一部分が再構成され、記憶されたデジタルサンプルから削除され得る。
【０００７】
[0007]ワイヤレス通信のための別の方法について説明する。一構成では、無認可無線周波数スペクトル帯域の帯域幅を通じて複数の信号が受信され得、複数の信号における干渉信号を削除するためにコードワードレベルの干渉消去（ＣＷＩＣ）を適用すべきか、シンボルレベルの干渉消去（ＳＬＩＣ）を適用すべきかが決定され得る。決定は、干渉信号が複数の信号におけるセルラー信号のための所望の信号ウィンドウ内にあるか、サポートされた帯域幅内にあるかに少なくとも部分的に基づき得る。
【０００８】
[0008]ワイヤレス通信のためのまた別の方法について説明する。一構成では、無認可無線周波数スペクトル帯域の帯域幅を通じてセルラー信号と干渉信号とを含む複数の信号が受信され得る。干渉信号の持続時間は干渉信号のプリアンブルから識別され得、セルラー信号を復調し復号するように構成されるセルラー受信機は、干渉信号の持続時間に少なくとも部分的に基づいて適応され得る。
【０００９】
[0009]ワイヤレス通信のための方法は、セルラー受信機によって、少なくともワイヤレスローカルエリアネットワーク（ＷＬＡＮ）信号とセルラー信号とを有する複数の信号を、無認可無線周波数スペクトル帯域の帯域幅を通じて受信することを含む。この方法は、複数の信号のデジタルサンプルをバッファに記憶することを含む。この方法は、記憶されたデジタルサンプルからＷＬＡＮ信号の少なくとも一部分をＷＬＡＮ受信機によって再構成することをさらに含む。バッファのコンテンツがセルラー受信機によるセルラー信号の復調および復号のために周波数領域に変換される前に、ＷＬＡＮ信号の再構成された部分を、記憶されたデジタルサンプルから削除することも含む。
【００１０】
[0010]いくつかの例では、ＷＬＡＮ信号の少なくとも一部分を再構成することは、記憶されたデジタルサンプルからＷＬＡＮプリアンブルを検出することと、ＷＬＡＮペイロードについての変調および符号化情報を識別するために、ＷＬＡＮプリアンブルを復号することと、少なくとも部分的に変調および符号化情報に基づいて、ＷＬＡＮペイロードの少なくとも一部分を復調し復号することとを含む。ＷＬＡＮ信号の少なくとも一部分を再構成することは、複数の信号におけるセルラー信号の持続時間を識別することと、ＷＬＡＮ信号の再構成された部分がセルラー信号の持続時間と同じ持続時間を有するように、ＷＬＡＮ信号の少なくとも一部分を再構成することとを含み得る。ＷＬＡＮ信号の少なくとも一部分を再構成することは、複数の信号におけるセルラー信号の帯域幅を識別することと、ＷＬＡＮ信号の再構成された部分がセルラー信号の帯域幅と同じ帯域幅を有するように、ＷＬＡＮ信号の少なくとも一部分を再構成することとを含み得る。ＷＬＡＮ信号の少なくとも一部分を再構成することは、複数の信号のエネルギーに対応するメトリックを追跡することと、追跡されているメトリックがしきい値を超えるまで、ＷＬＡＮ信号の少なくとも一部分を再構成することとを含み得る。
【００１１】
[0011]いくつかの例では、この方法は、ＷＬＡＮ信号の少なくとも一部分の再構成を実行するために、ＷＬＡＮ受信機によってバッファからの記憶されたデジタルサンプルにアクセスすることを含む。ＷＬＡＮ受信機は、ＷＬＡＮ信号を送信したアクセスポイントに関連付けられることなしに、ＷＬＡＮ信号の少なくとも一部分の再構成を実行するように構成され得る。方法はｅＮＢによって実行される場合がある。方法はＵＥによって実行される場合がある。セルラー受信機は、ロングタームエボリューション（ＬＴＥ（登録商標））受信機を含み得る。
【００１２】
[0012]ワイヤレス通信のための装置は、プロセッサと、プロセッサに結合されたメモリとを含む。プロセッサは、セルラー受信機によって、少なくともＷＬＡＮ信号とセルラー信号とを有する複数の信号を、無認可無線周波数スペクトル帯域の帯域幅を通じて受信し、複数の信号のデジタルサンプルをバッファに記憶し、記憶されたデジタルサンプルからＷＬＡＮ信号の少なくとも一部分をＷＬＡＮ受信機によって再構成し、バッファのコンテンツがセルラー受信機によるセルラー信号の復調および復号のために周波数領域に変換される前に、ＷＬＡＮ信号の再構成された部分を、記憶されたデジタルサンプルから削除するように構成される。
【００１３】
[0013]いくつかの例では、プロセッサは、 記憶されたデジタルサンプルからＷＬＡＮプリアンブルを検出することと、ＷＬＡＮペイロードについての変調および符号化情報を識別するために、ＷＬＡＮプリアンブルを復号することと、少なくとも部分的に変調および符号化情報に基づいて、ＷＬＡＮペイロードの少なくとも一部分を復調し復号することとによって、ＷＬＡＮ信号の少なくとも一部分を再構成するように構成され得る。プロセッサは、複数の信号におけるセルラー信号の持続時間を識別することと、ＷＬＡＮ信号の再構成された部分がセルラー信号の持続時間と同じ持続時間を有するように、ＷＬＡＮ信号の少なくとも一部分を再構成することとによって、ＷＬＡＮ信号の少なくとも一部分を再構成するように構成され得る。プロセッサは、複数の信号におけるセルラー信号の帯域幅を識別することと、ＷＬＡＮ信号の再構成された部分がセルラー信号の帯域幅と同じ帯域幅を有するように、ＷＬＡＮ信号の少なくとも一部分を再構成することとによって、ＷＬＡＮ信号の少なくとも一部分を再構成するように構成され得る。プロセッサは、複数の信号のエネルギーに対応するメトリックを追跡することと、追跡されているメトリックがしきい値を超えるまで、ＷＬＡＮ信号の少なくとも一部分を再構成することとによって、ＷＬＡＮ信号の少なくとも一部分を再構成するように構成され得る。
【００１４】
[0014]いくつかの例では、プロセッサは、ＷＬＡＮ信号の少なくとも一部分の再構成を実行するために、ＷＬＡＮ受信機にバッファからの記憶されたデジタルサンプルにアクセスさせるように構成され得る。ＷＬＡＮ受信機は、ＷＬＡＮ信号を送信したアクセスポイントに関連付けられることなしに、ＷＬＡＮ信号の少なくとも一部分の再構成を実行するように構成され得る。
【００１５】
[0015]ワイヤレス通信のための装置は、セルラー受信機によって、少なくともＷＬＡＮ信号とセルラー信号とを有する複数の信号を、無認可無線周波数スペクトル帯域の帯域幅を通じて受信するための手段を含む。この装置は、複数の信号のデジタルサンプルをバッファに記憶するための手段も含む。この装置は、記憶されたデジタルサンプルからＷＬＡＮ信号の少なくとも一部分をＷＬＡＮ受信機によって再構成するための手段も含む。この装置は、バッファのコンテンツがセルラー受信機によるセルラー信号の復調および復号のために周波数領域に変換される前に、ＷＬＡＮ信号の再構成された部分を、記憶されたデジタルサンプルから削除するための手段をさらに含む。
【００１６】
[0016]いくつかの例では、ＷＬＡＮ信号の少なくとも一部分を再構成するための手段は、記憶されたデジタルサンプルからＷＬＡＮプリアンブルを検出するための手段と、ＷＬＡＮペイロードについての変調および符号化情報を識別するために、ＷＬＡＮプリアンブルを復号するための手段と、少なくとも部分的に変調および符号化情報に基づいて、ＷＬＡＮペイロードの少なくとも一部分を復調し復号するための手段とを含む。ＷＬＡＮ信号の少なくとも一部分を再構成するための手段は、複数の信号におけるセルラー信号の持続時間を識別するための手段と、ＷＬＡＮ信号の再構成された部分がセルラー信号の持続時間と同じ持続時間を有するように、ＷＬＡＮ信号の少なくとも一部分を再構成するための手段とを含み得る。ＷＬＡＮ信号の少なくとも一部分を再構成するための手段は、複数の信号におけるセルラー信号の帯域幅を識別するための手段と、ＷＬＡＮ信号の再構成された部分がセルラー信号の帯域幅と同じ帯域幅を有するように、ＷＬＡＮ信号の少なくとも一部分を再構成するための手段とを含み得る。ＷＬＡＮ信号の少なくとも一部分を再構成するための手段は、複数の信号のエネルギーに対応するメトリックを追跡するための手段と、追跡されているメトリックがしきい値を超えるまで、ＷＬＡＮ信号の少なくとも一部分を再構成するための手段とを含み得る。
【００１７】
[0017]いくつかの例では、この装置は、ＷＬＡＮ信号の少なくとも一部分の再構成を実行するために、ＷＬＡＮ受信機によって、バッファからの記憶されたデジタルサンプルにアクセスするための手段をさらに含む。ＷＬＡＮ受信機は、ＷＬＡＮ信号を送信したアクセスポイントに関連付けられることなしに、ＷＬＡＮ信号の少なくとも一部分の再構成を実行するように構成され得る。本装置はｅＮＢであり得る。本装置はＵＥであり得る。セルラー受信機は、ＬＴＥ受信機を含むことができる。
【００１８】
[0018]プロセッサによって実行可能な命令を記憶するための非一時的コンピュータ可読媒体は、少なくともＷＬＡＮ信号とセルラー信号とを有する複数の信号を、無認可無線周波数スペクトル帯域の帯域幅を通じて受信するための命令と、複数の信号のデジタルサンプルをバッファに記憶するための命令と、記憶されたデジタルサンプルからＷＬＡＮ信号の少なくとも一部分を再構成するための命令と、バッファのコンテンツがセルラー受信機によるセルラー信号の復調および復号のために周波数領域に変換される前に、ＷＬＡＮ信号の再構成された部分を、記憶されたデジタルサンプルから削除するための命令とを含む。
【００１９】
[0019]いくつかの例では、非一時的コンピュータ可読媒体は、記憶されたデジタルサンプルからＷＬＡＮプリアンブルを検出することと、ＷＬＡＮペイロードについての変調および符号化情報を識別するために、ＷＬＡＮプリアンブルを復号することと、少なくとも部分的に変調および符号化情報に基づいて、ＷＬＡＮペイロードの少なくとも一部分を復調し復号することとによって、ＷＬＡＮ信号の少なくとも一部分を再構成するための命令を含み得る。非一時的コンピュータ可読媒体は、複数の信号におけるセルラー信号の持続時間を識別することと、ＷＬＡＮ信号の再構成された部分がセルラー信号の持続時間と同じ持続時間を有するように、ＷＬＡＮ信号の少なくとも一部分を再構成することとによって、ＷＬＡＮ信号の少なくとも一部分を再構成するための命令を含み得る。非一時的コンピュータ可読媒体は、複数の信号におけるセルラー信号の帯域幅を識別することと、ＷＬＡＮ信号の再構成された部分がセルラー信号の帯域幅と同じ帯域幅を有するように、ＷＬＡＮ信号の少なくとも一部分を再構成することとによって、ＷＬＡＮ信号の少なくとも一部分を再構成するための命令を含み得る。
【００２０】
[0020]ワイヤレス通信のための方法は、無認可無線周波数スペクトル帯域の帯域幅を通じて複数の信号を受信することを含む。この方法は、複数の信号における干渉信号を削除するためにコードワードレベルの干渉消去（ＣＷＩＣ）を適用すべきか、シンボルレベルの干渉消去（ＳＬＩＣ）を適用すべきかを決定することも含み、その決定は、干渉信号が複数の信号におけるセルラー信号のための所望の信号ウィンドウ内にあるか、サポートされた帯域幅内にあるかに少なくとも部分的に基づく。干渉信号は、ＷＬＡＮ信号を含み得る。
【００２１】
[0021]いくつかの例では、この方法は、干渉信号が少なくとも部分的に、サポートされた帯域幅の外にある旨の決定がなされたとき、干渉信号を削除するためにＳＬＩＣを適用することを含む。この方法は、干渉信号がサポートされた帯域幅内にある旨の決定がなされたとき、干渉信号を削除するためにＣＷＩＣまたはＳＬＩＣを適用することを含み得る。この方法は、干渉信号がサポートされた帯域幅の外にある旨の決定がなされたとき、および干渉信号が拡張された帯域幅を使用して再構成されるとき、干渉信号を削除するためにＣＷＩＣまたはＳＬＩＣを適用することを含み得る。
【００２２】
[0022]いくつかの例では、この方法は、干渉信号が少なくとも部分的に所望の信号ウィンドウの外にある旨の決定がなされたとき、干渉信号を削除するためにＳＬＩＣを適用することを含む。この方法は、干渉信号が所望の信号ウィンドウ内にある旨の決定がなされたとき、干渉信号を削除するためにＣＷＩＣまたはＳＬＩＣを適用することを含み得る。この方法は、干渉信号が所望の信号ウィンドウの外にある旨の決定がなされたとき、および干渉信号が拡張された信号ウィンドウを使用して再構成されるとき、干渉信号を削除するためにＣＷＩＣまたはＳＬＩＣを適用することを含み得る。
【００２３】
[0023]ワイヤレス通信のための装置は、プロセッサと、プロセッサに結合されたメモリとを含む。プロセッサは、無認可無線周波数スペクトル帯域の帯域幅を通じて複数の信号を受信し、複数の信号における干渉信号を削除するためにＣＷＩＣを適用すべきか、ＳＬＩＣを適用すべきかを決定するように構成され、その決定は、干渉信号が複数の信号におけるセルラー信号のための所望の信号ウィンドウ内にあるか、サポートされた帯域幅内にあるかに少なくとも部分的に基づく。干渉信号は、ＷＬＡＮ信号を含み得る。
【００２４】
[0024]いくつかの例では、プロセッサは、干渉信号が少なくとも部分的に、サポートされた帯域幅の外にある旨の決定がなされたとき、干渉信号を削除するためにＳＬＩＣを適用するように構成され得る。プロセッサは、干渉信号がサポートされた帯域幅内にある旨の決定がなされたとき、干渉信号を除去するためにＣＷＩＣまたはＳＬＩＣを適用するように構成され得る。プロセッサは、干渉信号がサポートされた帯域幅の外にある旨の決定がなされたとき、および干渉信号が拡張された帯域幅を使用して再構成されるとき、干渉信号を削除するためにＣＷＩＣまたはＳＬＩＣを適用するように構成され得る。
【００２５】
[0025]いくつかの例では、プロセッサは、干渉信号が少なくとも部分的に所望の信号ウィンドウの外にある旨の決定がなされたとき、干渉信号を削除するためにＳＬＩＣを適用するように構成され得る。プロセッサは、干渉信号が所望の信号ウィンドウ内にある旨の決定がなされたとき、干渉信号を削除するためにＣＷＩＣまたはＳＬＩＣを適用するように構成され得る。プロセッサは、干渉信号が所望の信号ウィンドウの外にある旨の決定がなされたとき、および干渉信号が拡張された信号ウィンドウを使用して再構成されるとき、干渉信号を削除するためにＣＷＩＣまたはＳＬＩＣを適用するように構成され得る。
【００２６】
[0026]ワイヤレス通信のための装置は、無認可無線周波数スペクトル帯域の帯域幅を通じて複数の信号を受信するための手段を含む。装置は、複数の信号における干渉信号を削除するためにＣＷＩＣを適用すべきか、ＳＬＩＣを適用すべきかを決定するための手段も含み、その決定は、干渉信号が複数の信号におけるセルラー信号のための所望の信号ウィンドウ内にあるか、サポートされた帯域幅内にあるかに少なくとも部分的に基づく。干渉信号はＷＬＡＮ信号を含み得る。
【００２７】
[0027]いくつかの例では、この装置は、干渉信号が少なくとも部分的に、サポートされた帯域幅の外にある旨の決定がなされたとき、干渉信号を削除するためにＳＬＩＣを適用するための手段を含む。この装置は、干渉信号がサポートされた帯域幅内にある旨の決定がなされたとき、干渉信号を削除するためにＣＷＩＣまたはＳＬＩＣを適用するための手段を含み得る。この装置は、干渉信号がサポートされた帯域幅の外にある旨の決定がなされたとき、および干渉信号が拡張された帯域幅を使用して再構成されるとき、干渉信号を削除するためにＣＷＩＣまたはＳＬＩＣを適用するための手段を含み得る。
【００２８】
[0028]いくつかの例では、この装置は、干渉信号が少なくとも部分的に所望の信号ウィンドウの外にある旨の決定がなされたとき、干渉信号を削除するためにＳＬＩＣを適用するための手段を含む。この装置は、干渉信号が所望の信号ウィンドウ内にある旨の決定がなされたとき、干渉信号を削除するためにＣＷＩＣまたはＳＬＩＣを適用するための手段を含み得る。この装置は、干渉信号が所望の信号ウィンドウの外にある旨の決定がなされたとき、および干渉信号が拡張された信号ウィンドウを使用して再構成されるとき、干渉信号を削除するためにＣＷＩＣまたはＳＬＩＣを適用するための手段を含み得る。
【００２９】
[0029]プロセッサによって実行可能な命令を記憶するための非一時的コンピュータ可読媒体は、無認可無線周波数スペクトル帯域の帯域幅を通じて複数の信号を受信するための命令と、複数の信号における干渉信号を削除するためにＣＷＩＣを適用すべきか、ＳＬＩＣを適用すべきかを決定するための命令とを含み、その決定は、干渉信号が複数の信号におけるセルラー信号のための所望の信号ウィンドウ内にあるか、サポートされた帯域幅内にあるかに少なくとも部分的に基づく。干渉信号は、ＷＬＡＮ信号を含み得る。
【００３０】
[0030]ワイヤレス通信のための方法は、無認可無線周波数スペクトル帯域の帯域幅を通じて複数の信号を受信することを含み、複数の信号は、セルラー信号と干渉信号とを有する。この方法は、干渉信号のプリアンブルから干渉信号の持続時間を識別することを含む。この方法は、少なくとも部分的に干渉信号の持続時間に基づいて、セルラー信号を復調し復号するように構成されるセルラー受信機を適応させることも含む。干渉信号は、ＷＬＡＮ信号を含み得る。
【００３１】
[0031]いくつかの例では、セルラー受信機を適応させることは、干渉信号の間に第１のノイズ推定技法をセルラー信号に適用することと、干渉信号の持続時間外に第２のノイズ推定技法をセルラー信号に適用することとを含む。セルラー受信機を適応させることは、干渉信号の間に第１のノイズ推定分解能をセルラー信号に適用することと、干渉信号の持続時間外に第２のノイズ推定分解能をセルラー信号に適用することとを含み得る。セルラー受信機を適応させることは、干渉信号の間に生じるセルラー信号におけるコードブロックを識別することと、干渉信号の持続時間外に生じるセルラー信号における任意の残りのコードブロックを復号する前に識別されたコードブロックを復号することとを含み得る。セルラー受信機を適応させることは、干渉信号の持続時間がしきい値未満であるとき、チャネル状態情報（ＣＳＩ）レポートから、干渉信号に関する情報を削除することを含み得る。
【００３２】
[0032]ワイヤレス通信のための装置は、プロセッサと、プロセッサに結合されたメモリとを含む。プロセッサは、無認可無線周波数スペクトル帯域の帯域幅を通じて複数の信号を受信し、ここにおいて、複数の信号はセルラー信号と干渉信号とを有し、干渉信号のプリアンブルから干渉信号の持続時間を識別し、少なくとも部分的に干渉信号の持続時間に基づいて、セルラー信号を復調し復号するように構成されるセルラー受信機を適応させるように構成される。干渉信号は、ＷＬＡＮ信号を含み得る。
【００３３】
[0033]いくつかの例では、プロセッサは、干渉信号の間に第１のノイズ推定技法をセルラー信号に適用することによってセルラー受信機を適応させ、干渉信号の持続時間外に第２のノイズ推定技法をセルラー信号に適用するように構成され得る。プロセッサは、干渉信号の間に第１のノイズ推定技法をセルラー信号に適用し、干渉信号の持続時間外に第２のノイズ推定技法をセルラー信号に適用することによってセルラー受信機を適応させるように構成され得る。プロセッサは、干渉信号の間に生じるセルラー信号におけるコードブロックを識別し、干渉信号の持続時間外に生じるセルラー信号における任意の残りのコードブロックを復号する前に識別されたコードブロックを復号することによって、セルラー受信機を適応させるように構成され得る。
【００３４】
[0034]ワイヤレス通信のための装置は、無認可無線周波数スペクトル帯域の帯域幅を通じて複数の信号を受信するための手段を含み、複数の信号はセルラー信号と干渉信号とを有する。この装置は、干渉信号のプリアンブルから干渉信号の持続時間を識別するための手段を含む。この装置は、少なくとも部分的に干渉信号の持続時間に基づいて、セルラー信号を復調し復号するように構成されるセルラー受信機を適応させるための手段を含む。干渉信号は、ＷＬＡＮ信号を含み得る。
【００３５】
[0035]いくつかの例では、セルラー受信機を適応させるための手段は、干渉信号の間に第１のノイズ推定技法をセルラー信号に適用するための手段と、干渉信号の持続時間外に第２のノイズ推定技法をセルラー信号に適用するための手段とを含む。セルラー受信機を適応させるための手段は、干渉信号の間に第１のノイズ推定分解能をセルラー信号に適用するための手段と、干渉信号の持続時間外に第２のノイズ推定分解能をセルラー信号に適用するための手段とを含み得る。セルラー受信機を適応させるための手段は、干渉信号の間に生じるセルラー信号におけるコードブロックを識別するための手段と、干渉信号の持続時間外に生じるセルラー信号における任意の残りのコードブロックを復号する前に識別されたコードブロックを復号するための手段とを含み得る。セルラー受信機を適応させるための手段は、干渉信号の持続時間がしきい値未満であるとき、ＣＳＩレポートから、干渉信号に関する情報を削除するための手段を含み得る。
【００３６】
[0036]プロセッサによって実行可能な命令を記憶するための非一時的コンピュータ可読媒体は、干渉信号のプリアンブルから干渉信号の持続時間を識別するための命令と、少なくとも部分的に干渉信号の持続時間に基づいて、セルラー信号を復調し復号するように構成されるセルラー受信機を適応させるための命令とを含む。干渉信号は、ＷＬＡＮ信号を含み得る。
【００３７】
[0037]いくつかの例では、プロセッサによってセルラー受信機を適応させるように実行可能な命令は、干渉信号の間に第１のノイズ推定技法をセルラー信号に適用するための命令と、干渉信号の持続時間外に第２のノイズ推定技法をセルラー信号に適用するための命令とを含み得る。プロセッサによってセルラー受信機を適応させるように実行可能な命令は、干渉信号の間に第１のノイズ推定分解能をセルラー信号に適用するための命令と、干渉信号の持続時間外に第２のノイズ推定分解能をセルラー信号に適用するための命令とを含み得る。プロセッサによってセルラー受信機を適応させるように実行可能な命令は、干渉信号の間に生じるセルラー信号におけるコードブロックを識別するための命令と、干渉信号の持続時間外に生じるセルラー信号における任意の残りのコードブロックを復号する前に識別されたコードブロックを復号するための命令とを含み得る。プロセッサによってセルラー受信機を適応させるように実行可能な命令は、干渉信号の持続時間がしきい値未満であるとき、ＣＳＩレポートから、干渉信号に関する情報を削除するための命令を含み得る。
【００３８】
[0038]説明される方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【図面の簡単な説明】
【００３９】
[0039]以下の図面を参照すれば、本開示の性質および利点のさらなる理解が得られ得る。添付図面では、同様の構成要素または特徴が、同一の符号を有する場合がある。さらに、同じタイプの様々な構成要素は、同様の構成要素の中で区別するダッシュおよび第２のラベルを参照ラベルの後に付けることによって区別され得る。第１の符号だけが本明細書で使用される場合には、その説明は、第２の符号にかかわらず、同一の第１の符号を有する同様の構成要素のいずれにも適用可能である。
【図１】様々な例による、ワイヤレス通信システムを示す図。
【図２】様々な例による、無認可無線周波数スペクトル帯域においてロングタームエボリューション（ＬＴＥ）を使用するための配備シナリオの例を示すワイヤレス通信システムを示す図。
【図３】様々な例による、干渉が生じ得るワイヤレス通信システムを示す図。
【図４】様々な例による、送信／受信期間を有する無認可のフレーム／間隔の例示的なフォーマットを示す図。
【図５Ａ】様々な例による、セルラー信号とＷＬＡＮ信号との間の干渉の例を示す図。
【図５Ｂ】様々な例による、セルラー信号とＷＬＡＮ信号との間の干渉の例を示す図。
【図６】様々な例による、統合された受信機モジュール（integrated receiver module）の一例のブロック図。
【図７Ａ】様々な例による、統合された受信機を有するデバイスの一例を示すブロック図。
【図７Ｂ】様々な例による、無認可無線周波数スペクトル帯域のＷＬＡＮ受信機の一例を示すブロック図。
【図７Ｃ】様々な例による、セルラー受信機の一例のブロック図。
【図８】様々な例による、ｅＮＢアーキテクチャの一例を示すブロック図。
【図９】様々な例による、ＵＥアーキテクチャの一例を示すブロック図。
【図１０】様々な例による、多入力多出力（ＭＩＭＯ）通信システムの一例を示すブロック図。
【図１１】様々な例による、（たとえば、複数の受信信号の記憶されたデジタルサンプルからＷＬＡＮ信号の再構成された部分を削除するための方法など）無認可無線周波数スペクトル帯域を使用したワイヤレス通信のための例示的な方法のフローチャート。
【図１２】様々な例による、（たとえば、複数の受信信号の記憶されたデジタルサンプルからＷＬＡＮ信号の再構成された部分を削除するための方法など）無認可無線周波数スペクトル帯域を使用したワイヤレス通信のための例示的な方法のフローチャート。
【図１３】様々な例による、（たとえば、受信機でどんな干渉消去技法を適用すべきかを決定するための方法など）無認可無線周波数スペクトル帯域を使用したワイヤレス通信のための例示的な方法のフローチャート。
【図１４】様々な例による、（たとえば、受信機でどんな干渉消去技法を適用すべきかを決定するための方法など）無認可無線周波数スペクトル帯域を使用したワイヤレス通信のための例示的な方法のフローチャート。
【図１５】様々な例による、（たとえば、セルラー受信機が適応され得る方法など）無認可無線周波数スペクトル帯域を使用したワイヤレス通信のための例示的な方法のフローチャート。
【図１６】様々な例による、（たとえば、セルラー受信機が適応され得る方法など）無認可無線周波数スペクトル帯域を使用したワイヤレス通信のための例示的な方法のフローチャート。
【発明を実施するための形態】
【００４０】
[0055]無認可無線周波数スペクトル帯域（たとえば、典型的にＷｉＦｉ通信のために使用されるスペクトル帯域）がセルラー通信（たとえば、ＬＴＥ通信など）のために使用され得る技法が記載される。
【００４１】
[0056]トラフィックがセルラーネットワーク（たとえば、ＬＴＥネットワーク）の認可無線周波数スペクトル帯域から無認可無線周波数スペクトル帯域（たとえば、ＷＬＡＮまたはＷｉＦｉネットワークによって使用される無認可無線周波数スペクトル帯域）にオフロードされるとき、セルラー信号とＷＬＡＮ信号との間の干渉が生じる可能性がある。Ｌｉｓｔｅｎ  Ｂｅｆｏｒｅ  Ｔａｌｋ（ＬＢＴ）などのプロシージャが無認可無線周波数スペクトル帯域を通じて通信することを望むセルラーデバイスによって使用されているときでさえ、ＷｉＦｉデバイスが、無認可無線周波数スペクトル帯域がセルラーデバイスによって使用中であることを認識せず、時間および／または周波数がセルラーデバイスによって送信される信号と重なる信号を送信し始めるシナリオがあり得る。一例では、ＷｉＦｉデバイスは、無認可無線周波数スペクトル帯域（たとえば、ＷｉＦｉデバイスにおいて弱すぎる信号）を通じてセルラーデバイスからの通信を検出しない可能性があり、セルラーデバイスのものと重なる信号を送信することができる。別の例では、ＷｉＦｉデバイスは、セルラーデバイスと同時に無認可無線周波数スペクトル帯域にアクセスできるようになり得、このことは、デバイスに、互いに重なる信号を送信させ得る。したがって、セルラー信号から干渉信号（たとえば、ＷＬＡＮまたはＷｉＦｉ信号）を削除するための技法が必要とされる。
【００４２】
[0057]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」と「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６の標準規格を含む。ＩＳ−２０００  Ｒｅｌｅａｓｅ  ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ（登録商標））と呼ばれる組織からの文書に記載されている。ＣＤＭＡ２０００およびＵＭＢは、「第３世代パートナーシッププロジェクト２」（３ＧＰＰ２）と称する団体からの文書に記載されている。本明細書において説明される技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外にも適用可能である。
【００４３】
[0058]以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な実施形態は、必要に応じて様々なプロシージャまたは構成要素を省略し、置換し、または追加することができる。たとえば、説明する方法は、説明する順序とは異なる順序で実施され得、様々なステップが追加、省略、または組み合わせられ得る。また、いくつかの実施形態に関して記載される特徴は、他の実施形態において組み合わせられ得る。
【００４４】
[0059]最初に図１を参照すると、図はワイヤレス通信システム１００の一例を示している。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５のうちのいくつかは、バックホール１３２を通してコアネットワーク１３０と制御情報および／またはユーザデータを通信し得る。いくつかの例では、アクセスポイント１０５のうちのいくつかは、ワイヤードまたはワイヤレス通信リンクであり得るバックホールリンク１３４を通じて互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送することができる。
【００４５】
[0060]アクセスポイント１０５は、１つまたは複数のアクセスポイントアンテナを介してＵＥ１１５とワイヤレス通信し得る。アクセスポイント１０５の各々は、それぞれのカバレージエリア１１０に通信カバレージを与え得る。いくつかの例では、アクセスポイント１０５は、基地局、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、ＷｉＦｉノード、または何らかの他の好適な用語で呼ばれることがある。アクセスポイントのためのカバレージエリア１１０は、カバレージエリアの一部分を構成するセクタ（図示せず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５は、たとえばセルラーおよび／またはＷＬＡＮ無線アクセス技術など、異なる無線技術を利用することもできる。アクセスポイント１０５は同じもしくは異なるアクセスネットワークまたは事業者展開に関連付けられ得る。同じまたは異なるタイプのアクセスポイント１０５のカバレージエリアを含み、同じまたは異なる無線技術を利用し、ならびに／あるいは同じまたは異なるアクセスネットワークに属する、異なるアクセスポイント１０５のカバレージエリアは重複し得る。
【００４６】
[0061]いくつかの例では、ワイヤレス通信システム１００は、１つまたは複数の無線周波数スペクトル帯域の動作モードまたは展開シナリオをサポートするＬＴＥ／ＬＴＥ−Ａ通信システム（またはネットワーク）を含み得る。他の例では、ワイヤレス通信システム１００は、無認可無線周波数スペクトル帯域およびＬＴＥ／ＬＴＥ−Ａとは異なるアクセス技術を使用したワイヤレス通信、または認可無線周波数スペクトル帯域およびＬＴＥ／ＬＴＥ−Ａとは異なるアクセス技術を使用したワイヤレス通信をサポートすることができる。ＬＴＥ／ＬＴＥ−Ａ通信システムでは、発展型ノードＢまたはｅＮＢという用語は、一般に、アクセスポイント１０５の記述するために使用され得る。ワイヤレス通信システム１００は、様々なタイプのｅＮＢが様々な地理的領域にカバレージを提供する、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、一般的に、比較的大きい地理的エリア（たとえば、半径数キロメートル）をカバーし、ネットワークプロバイダのサービスに加入しているＵＥによる無制限アクセスを可能にし得る。ピコセルは、一般的に、比較的小さい地理的エリアをカバーすることになり、ネットワークプロバイダのサービスに加入しているＵＥによる無制限アクセスを可能にし得る。またフェムトセルは、一般的に、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセル用のｅＮＢは、マクロｅＮＢと呼ばれる場合がある。ピコセル用のｅＮＢは、ピコｅＮＢと呼ばれる場合がある。また、フェムトセル用のｅＮＢは、フェムトｅＮＢまたはホームｅＮＢと呼ばれる場合がある。ｅＮＢは、１つまたは複数（たとえば、２つ、３つ、４つなど）のセルをサポートすることができる。
【００４７】
[0062]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホール１３２を介して（たとえば、コアネットワーク１３０を通して）、直接的または間接的に互いに通信し得る。ワイヤレス通信システム１００は同期動作または非同期動作をサポートすることができる。同期動作の場合、ｅＮＢは同様のフレームタイミングおよび／またはゲーティングタイミングを有し得、異なるｅＮＢからの送信は時間的にほぼ整合され得る。非同期動作の場合、ｅＮＢは異なるフレームタイミングおよび／またはゲーティングタイミングを有し得、異なるｅＮＢからの送信は時間的に整合されない場合がある。本明細書で説明される技法は、同期動作または非同期動作のいずれかに対して使用され得る。
【００４８】
[0063]ＵＥ１１５は、ワイヤレス通信システム１００全体にわたって分散され得、各ＵＥ１１５は固定または移動性であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラー電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計またはメガネなどのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００４９】
[0064]ワイヤレス通信システム１００に示された通信リンク１２５は、（たとえば、ＵＥ１１５からｅＮＢ１０５への）アップリンク（ＵＬ）送信を搬送するためのアップリンクおよび／または（たとえば、ｅＮＢ１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。アップリンク送信は、認可無線周波数スペクトル帯域、無認可無線周波数スペクトル帯域、または両方を使用して行われ得る。同様に、ダウンリンク送信は、認可無線周波数スペクトル帯域、無認可無線周波数スペクトル帯域、または両方を使用して行われ得る。
【００５０】
[0065]無線通信システム１００のいくつかの実施形態では、無認可無線周波数スペクトル帯域のための様々な展開シナリオは、認可無線周波数スペクトル帯域の中のＬＴＥダウンリンク容量が無認可無線周波数スペクトル帯域へオフロードされ得る補足的なダウンリンクモードと、ＬＴＥダウンリンク容量とＬＴＥアップリンク容量の両方が認可無線周波数スペクトル帯域から無認可無線周波数スペクトル帯域へオフロードされ得るキャリアアグリゲーションモードと、基地局（たとえば、ｅＮＢ）とＵＥとの間のＬＴＥダウンリンク通信およびＬＴＥアップリンク通信が無認可無線周波数スペクトル帯域の中で行われ得るスタンドアロンモードとを含んでサポートされ得る。基地局またはｅＮＢ１０５、ならびにＵＥ１１５は、これらまたは同様の動作モードのうちの１つまたは複数をサポートし得る。ＯＦＤＭＡ通信信号は、無認可無線周波数スペクトル帯域および／または認可無線周波数スペクトル帯域の中のＬＴＥダウンリンク送信のために通信リンク１２５の中で使用され得、ＳＣ−ＦＤＭＡ通信信号は、無認可無線周波数スペクトル帯域および／または認可無線周波数スペクトル帯域の中のＬＴＥアップリンク送信のために通信リンク１２５の中で使用され得る。ワイヤレス通信システム１００などのシステムにおける無認可無線周波数スペクトル帯域の展開シナリオまたは動作モードの実装に関する追加の詳細、ならびに無認可無線周波数スペクトル帯域の動作に関係する他の特徴および機能は、図２〜図１６を参照しながら以下で提供される。
【００５１】
[0066]いくつかの例では、ＵＥ１１５は、ワイヤレスローカルエリアネットワーク（ＷＬＡＮ）信号とセルラー信号とを含む信号の組合せを、無認可無線周波数スペクトル帯域の帯域幅を通じて受信し得る。信号は、１つまたは複数のアクセスポイントおよび／またはｅＮＢ１０５から受信され得る。ＵＥ１１５は、ＵＥ１１５によるセルラー信号の復調および復号の前にＷＬＡＮ信号の少なくとも一部分を削除し得る。
【００５２】
[0067]いくつかの例では、ｅＮＢ１０５は、ワイヤレスローカルエリアネットワーク（ＷＬＡＮ）信号とセルラー信号とを含む信号の組合せを、無認可無線周波数スペクトル帯域の帯域幅を通じて受信し得る。信号は、１つまたは複数のＵＥ１１５から受信され得る。ｅＮＢ１０５は、ｅＮＢ１０５によるセルラー信号の復調および復号の前にＷＬＡＮ信号の少なくとも一部分を削除し得る。
【００５３】
[0068]次に図２を参照すると、無線通信システム２００は、無認可無線周波数スペクトル帯域をサポートするＬＴＥネットワークのための補足的なダウンリンクモードおよびキャリアアグリゲーションモードの例を示す。無線通信システム２００は、図１を参照して説明した無線通信システム１００のいくつかの部分の例であり得る。さらに、ｅＮＢ２０５は、図１を参照しながら説明したアクセスポイント１０５のうちの１つまたは複数の態様の一例であり得、ＵＥ２１５は、図１を参照しながら説明したＵＥ１１５のうちの１つまたは複数の態様の一例であり得る。
【００５４】
[0069]ワイヤレス通信システム２００における補足的なダウンリンクモードの例では、ｅＮＢ２０５は、ＯＦＤＭＡ通信信号をＵＥ２１５へダウンリンク２２０を使用して送信し得る。ダウンリンク２２０は、無認可無線周波数スペクトル帯域の中の周波数Ｆ１に関連付けられ得る。ｅＮＢ２０５は、ＯＦＤＭＡ通信信号を同じＵＥ２１５に双方向リンク２２５を使用して送信し得、ＳＣ−ＦＤＭＡ通信信号をそのＵＥ２１５から双方向リンク２２５を使用して受信し得る。双方向リンク２２５は、認可無線周波数スペクトル帯域の中の周波数Ｆ４に関連付けられ得る。無認可無線周波数スペクトル帯域の中のダウンリンク２２０および認可無線周波数スペクトル帯域の中の双方向リンク２２５は、同時に動作し得る。ダウンリンク２２０は、ダウンリンク容量のオフロードをｅＮＢ２０５に提供し得る。いくつかの例では、ダウンリンク２２０は、ユニキャストサービス（たとえば、１つのＵＥへアドレス指定される）のために、またはマルチキャストサービス（たとえば、いくつかのＵＥへアドレス指定される）のために使用され得る。このシナリオは、認可無線周波数スペクトル帯域を使用しトラフィックおよび／またはシグナリングの混雑のうちの一部を軽減する必要がある、任意のサービスプロバイダ（たとえば、従来のモバイルネットワークオペレータすなわちＭＮＯ）に対して生じ得る。
【００５５】
[0070]ワイヤレス通信システム２００におけるキャリアアグリゲーションモードの１つの例では、ｅＮＢ２０５は、ＯＦＤＭＡ通信信号をＵＥ２１５−ａへ双方向リンク２３０を使用して送信し得、ＳＣ−ＦＤＭＡ通信信号を同じＵＥ２１５−ａから双方向リンク２３０を使用して受信し得る。双方向リンク２３０は、無認可無線周波数スペクトル帯域の中の周波数Ｆ１に関連付けられ得る。ｅＮＢ２０５はまた、ＯＦＤＭＡ通信信号を同じＵＥ２１５−ａへ双方向リンク２３５を使用して送信し得、ＳＣ−ＦＤＭＡ通信信号を同じＵＥ２１５−ａから双方向リンク２３５を使用して受信し得る。双方向リンク２３５は、認可無線周波数スペクトル帯域の中の周波数Ｆ２に関連付けられ得る。双方向リンク２３０は、ダウンリンク容量およびアップリンク容量のオフロードをｅＮＢ２０５に提供し得る。上記で説明した補足的なダウンリンクのように、このシナリオは、認可無線周波数スペクトル帯域を使用しトラフィックおよび／またはシグナリングの混雑のうちの一部を軽減する必要がある、任意のサービスプロバイダ（たとえば、ＭＮＯ）に対して生じ得る。
【００５６】
[0071]ワイヤレス通信システム２００におけるキャリアアグリゲーションモードの別の例では、ｅＮＢ２０５は、ＯＦＤＭＡ通信信号をＵＥ２１５−ｂへ双方向リンク２４０を使用して送信し得、ＳＣ−ＦＤＭＡ通信信号を同じＵＥ２１５−ｂから双方向リンク２４０を使用して受信し得る。双方向リンク２４０は、無認可無線周波数スペクトル帯域の中の周波数Ｆ３に関連付けられ得る。ｅＮＢ２０５はまた、ＯＦＤＭＡ通信信号を同じＵＥ２１５−ｂへ双方向リンク２４５を使用して送信し得、ＳＣ−ＦＤＭＡ通信信号を同じＵＥ２１５−ｂから双方向リンク２４５を使用して受信し得る。双方向リンク２４５は、認可無線周波数スペクトル帯域の中の周波数Ｆ２に関連付けられ得る。双方向リンク２４０は、ダウンリンク容量およびアップリンク容量のオフロードをｅＮＢ２０５に提供し得る。この例および上記で提供した例は、説明のために提示され、容量のオフロードのために認可および無認可無線周波数スペクトル帯域を組み合わせる他の同様の動作モードまたは展開シナリオが存在し得る。
【００５７】
[0072]上記で説明したように、無認可無線周波数スペクトル帯域を使用することによって提供される容量のオフロードから利益を得ることができる典型的なサービスプロバイダは、認可無線周波数スペクトル帯域を用いる従来のＭＮＯである。これらのサービスプロバイダにとって、運用上の構成は、認可無線周波数スペクトル帯域上のプライマリコンポーネントキャリア（ＰＣＣ）と無認可無線周波数スペクトル帯域上のセカンダリコンポーネントキャリア（ＳＣＣ）とを使用するブートストラップモード（たとえば、補足的なダウンリンク、キャリアアグリゲーション）を含み得る。
【００５８】
[0073]補足的なダウンリンクモードにおいて、無認可無線周波数スペクトル帯域のための制御は、認可無線周波数スペクトル帯域アップリンク（たとえば、双方向リンク２２５のアップリンク部分）を通じてトランスポートされ得る。ダウンリンク容量のオフロードを提供するための理由の１つは、データの要求が主にダウンリンクの消費によって駆動されるからである。さらに、このモードでは、ＵＥ２１５が無認可無線周波数スペクトル帯域において送信していないので、規制上の影響がない可能性がある。
【００５９】
[0074]キャリアアグリゲーションモードでは、データおよび制御は、認可無線周波数スペクトル帯域の中で（たとえば、双方向リンク２３５および２４５など）通信され得、データは、無認可無線周波数スペクトル帯域の中で（たとえば、双方向リンク２３０および２４０）通信され得る。無認可無線周波数スペクトル帯域を使用する場合にサポートされるキャリアアグリゲーションメカニズムは、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００６０】
[0075]いくつかの例では、ＵＥ２１５、２１５−ａ、および／または２１５−ｂのうちの１つまたは複数は、無認可無線周波数スペクトルの帯域幅を通じてワイヤレスローカルエリアネットワーク（ＷＬＡＮ）信号と、セルラー信号とを含む信号の組合せを受信することができる。信号は、ｅＮＢ２０５から受信され得る。ＵＥ２１５、２１５−ａ、および／または２１５−ｂは、セルラー信号の復調および復号の前にＷＬＡＮ信号の少なくとも一部分を削除し得る。
【００６１】
[0076]いくつかの例では、ｅＮＢ２０５は、ワイヤレスローカルエリアネットワーク（ＷＬＡＮ）信号とセルラー信号とを含む信号の組合せを、無認可無線周波数スペクトル帯域の帯域幅を通じて受信し得る。信号は、ＵＥ２１５、２１５−ａおよび／または２１５−ｂのうちの１つまたは複数から受信され得る。ｅＮＢ２０５は、ｅＮＢ２０５によるセルラー信号の復調および復号の前にＷＬＡＮ信号の少なくとも一部分を削除し得る。
【００６２】
[0077]図３は、システムのアクセスポイント３０５、３３５、およびＵＥ３１５、３１５−ａのうちの異なるものの間の通信３２５、３２５−ａが互いに干渉し得るワイヤレス通信システム３００を示す図である。ワイヤレス通信システム３００は、図１および／または図２を参照しながら説明したワイヤレス通信システム１００および／または２００の部分の一例であり得る。さらに、アクセスポイント３０５、３３５は、図１を参照しながら説明したアクセスポイント１０５、または図２を参照しながら説明したｅＮＢ２０５の１つまたは複数の態様の例であり得、一方、ＵＥ３１５、３１５−ａは、図１および／または図２を参照しながら説明したＵＥ１１５および／または２１５の１つまたは複数の態様の例であり得る。
【００６３】
[0078]ワイヤレス通信システム３００の動作の通常の成り行きの間、ｅＮＢ３０５がそのカバレージエリア内の１つまたは複数のＵＥ（たとえば、ＵＥ３１５）と通信することができ、一方、ＷＬＡＮアクセスポイント３３５は、そのカバレージエリア３４０内の１つまたは複数のＵＥ（たとえば、ＷｉＦｉデバイス３１５−ａ）と通信することができる。ｅＮＢ３０５およびＵＥ３１５がセルラーネットワークの認可無線周波数スペクトル帯域（たとえば、ＬＴＥスペクトル）を通じて通信し、ＷＬＡＮアクセスポイント３３５およびＷｉＦｉデバイス３１５−ａが別個の無認可無線周波数スペクトル帯域（たとえば、ＷｉＦｉスペクトル帯域）を通じて通信しているとき、通信３２５と３２５−ａとの間の干渉は、大部分または完全に回避され得る。しかしながら、ｅＮＢ３０５／ＵＥ３１５およびＷＬＡＮアクセスポイント３３５／ＷｉＦｉデバイス３１５−ａが同じスペクトル帯域（たとえばＷｉＦｉスペクトル帯域）を通じて通信するとき、または重なるスペクトルを通じて通信するとき、異なるデバイスの通信３２５と３２５−ａとの間の干渉の実質的により大きい可能性が存在する。
【００６４】
[0079]同じまたは重なるスペクトルを通じて（および、おそらく異なる無線アクセス技術（ＲＡＴ）を介して）通信するデバイス間の干渉の可能性を低減するための１つの方法は、競合ベースのプロトコル、たとえばＬｉｓｔｅｎ  Ｂｅｆｏｒｅ  Ｔａｌｋ（ＬＢＴ）などを利用することである。ＬＢＴプロトコルに基づいて、チャネルを通じて通信することを望むデバイス（たとえば、ｅＮＢ３０５）は、チャネルが「クリア」であることを確実にする（すなわち、他のいかなるデバイスもチャネルを使用していないことを確実にする）ためにチャネルをリッスンし、次いで、チャネルを確保するために信号（たとえば、他のデバイスが、チャネルが使用中であるという徴候と解釈する信号）をブロードキャストすることができる。次いで、デバイスは、同じくチャネルがクリアであることを確実にするために通信することを望むデバイス（たとえば、ＵＥ３１５）を求め得る。これは、異なるデバイス３１０、３１５−ａが異なるカバレージエリアを有する結果、または第１のデバイス（たとえば、ｅＮＢ３０５）のカバレージエリア３１０内のデバイスが第１のデバイスによってブロードキャストされる予約信号を受信していない可能性があると仮定した予防措置であり得る。
【００６５】
[0080]ＬＢＴまたは他の競合ベースのプロトコルの使用にもかかわらず、ｅＮＢ３０５／ＵＥ３１５およびＷＬＡＮアクセスポイント３３５／ＷｉＦｉデバイス３１５−ａが同じスペクトル（たとえば無認可無線周波数スペクトル帯域）を通じて同時に通信するシナリオが起こり得る。したがって、無認可無線周波数スペクトル帯域を使用するシステムでは、セルラー信号上の干渉信号（たとえば、不要なＷＬＡＮ信号）の影響を除去または軽減することが可能である受信機が望ましい可能性がある。
【００６６】
[0081]図４は、図１、図２および／または図３のいずれかを参照しながら説明したセルラーデバイス（たとえば、ｅＮＢおよびＵＥ）の間の無認可無線周波数スペクトル帯域通信のために使用可能な無認可フレーム／区間４０５（たとえば、フレーム、サブフレームまたは区間）の例示的なフォーマット４００を示す。いくつかの例では、無認可フレーム／区間４０５は図１、図２、および／または図３を参照しながら説明したｅＮＢ１０５、２０５、および／または３０５のうちの１つまたは複数、ならびに図１、図２、および／または図３を参照しながら説明したＵＥ１１５、２１５、および／または３１５のうちの１つまたは複数によって使用されるフレームの一例であり得る。無認可のフレーム／区間４０５は、サイレント期間４１０、クリアチャネルアセスメント（ＣＣＡ）スロット期間４２０、および／または送信／受信期間４３０を含み得る。いくつかの場合には、無認可のフレーム／区間４０５は、５または１０ミリ秒の持続時間を有し得る。他の場合には、無認可のフレーム／区間４０５は、１または２ミリ秒の持続時間を有し得る。
【００６７】
[0082]無認可のフレーム／区間４０５は、たとえばＥＴＳＩ（ＥＮ  ３０１  ８９３）で指定されているＬＢＴプロトコルに基づいてＬｉｓｔｅｎ  Ｂｅｆｏｒｅ  Ｔａｌｋ（ＬＢＴ）プロトコルなど、競合ベースプロトコルの適用を定義することができる。ＬＢＴの適用を定義するフレーム／区間を使用するとき、フレーム／区間は、送信デバイスがいつクリアチャネルアセスメント（ＣＣＡ）を実行する必要があるかを示し得る。ＣＣＡの結果は、無認可無線周波数スペクトル帯域のチャネルが利用可能であるか使用中であるかを送信デバイスに示す。チャネルが利用可能である（たとえば、使用のために「クリア」）ことをＣＣＡが示すとき、フレーム／区間は、送信デバイスが、一般にはあらかじめ定義された送信期間の間、チャネルを使用することを可能にする。チャネルが利用可能でない（たとえば、使用中または予約済み）ことをＣＣＡが示すとき、フレーム／区間は、送信デバイスが、送信期間の間、チャネルを使用することを防止する。
【００６８】
[0083]いくつかの場合には、これは、無認可のフレーム／区間４０５も同期される周期的なフレーム構造（たとえば、ＬＴＥフレーム構造）に同期するように無認可無線周波数スペクトル帯域を通じて通信することができるセルラーデバイスに有用であり得る。たとえば、無認可のフレーム／区間４０５の境界は、周期的なフレーム構造の境界と同期され得る。
【００６９】
[0084]サイレント期間４１０は、たとえば先頭または終端など、無認可のフレーム／区間４０５内の様々なポイントで生じ得、いくつかの場合には、２つ以上のサイレント期間に分割され得る。例として、サイレント期間４１０は、無認可のフレーム／区間４０５の先頭で生じることが示される。サイレント期間４１０は、チャネル占有要件を満たすために使用され得る。場合によっては、サイレント期間４１０は、無認可のフレーム／区間４０５の持続時間の５パーセントの最小の持続時間を有し得る。
【００７０】
[0085]ＣＣＡスロット期間４２０は、いくつかのＣＣＡスロットを含み得る。たとえば、ＣＣＡスロット期間４２０は、７つのＣＣＡスロットを含み得る。いくつかの場合には、ＣＣＡスロットのうちの１つは、無認可無線周波数スペクトル帯域の利用可能性を決定するために、ＣＣＡを実行するためのｅＮＢによって疑似ランダム的に選択され得る。ＣＣＡスロットは、同じ事業者展開のｅＮＢの一部もしくは全部がＣＣＡスロットのうちの共通の１つにおいてＣＣＡを実行し、異なる事業者展開のｅＮＢがＣＣＡスロットのうちの異なるものにおいてＣＣＡを実行するように疑似ランダム的に選択され得る。無認可のフレーム／区間の連続したインスタンスにおいて、ＣＣＡスロットの疑似ランダム選択は、結果として異なる事業者展開がＣＣＡスロットで第１のものを選択することになり得る。このようにして、いくつかの事業者展開の各々は、ＣＣＡを実行するための第１の機会が与えられ得る（たとえば、第１の事業者展開は１つの無認可のフレーム／区間における第１のＣＣＡスロットを選択することができ、第２の事業者展開は、次のフレーム／間隔における第１のＣＣＡスロットを選択することができ、以下同様である）。場合によっては、ＣＣＡスロットは、ほぼ２０マイクロ秒の持続時間を各々有し得る。
【００７１】
[0086]ｅＮＢが無認可無線周波数スペクトル帯域の利用可能性を決定するためにＣＣＡを実行し、無認可無線周波数スペクトル帯域が利用可能であると決定したとき、ｅＮＢは送信／受信期間４３０を確保することができる。送信／受信期間４３０は、図４においてＳＦ（ｎ）、ＳＦ（ｎ＋１）、ＳＦ（ｎ＋２）、…、ＳＦ（ｎ＋Ｋ−１）とラベル付けされたいくつかのサブフレームを含み得る。いくつかの場合には、複数の調整されたｅＮＢ（たとえば、２つ以上の調整されたｅＮＢ）は、送信／受信期間４３０を確保し、データを送信または受信することができる。直交送信、多重化送信、および／または１組の調整されたｅＮＢによって使用される機構を共有している他の時間および／または周波数の使用の結果として、複数ｅＮＢによる送信／受信期間４３０の同時使用が可能であり得る。
【００７２】
[0087]図５Ａは、１つまたは複数のセルラーデバイス（たとえば、ｅＮＢおよび／またはＵＥ）が無認可のフレーム／区間５０５に従って無認可無線周波数スペクトル帯域を通じて通信するが、１つまたは複数のＷＬＡＮデバイスによって行われる同時のまたは重複した送信からの干渉に遭遇する例示的なシナリオ５００を示す。いくつかの場合には、セルラーデバイスは、図１、図２、および／または図３を参照しながら説明したｅＮＢ１０５、２０５、および／もしくは３０５、ならびに／またはＵＥ１１５、２１５、および／もしくは３１５のうちの１つまたは複数を含み得る。
【００７３】
[0088]第１の無認可のフレーム／区間５０５において、１つまたは複数のセルラーデバイスは、サイレント期間５１０の後のＣＣＡ期間５２０内にＣＣＡをうまく実行することができ、その後送信／受信期間または信号ウィンドウ５３０の間、無認可無線周波数スペクトル帯域（ＢＷ１）を通じてデータを送信または受信することができる。しかしながら、１つまたは複数のＷＬＡＮデバイスは、信号ウィンドウ５３０の間送信することもできる。送信Ｗ１  ５３５およびＷ３  ５４５は完全に信号ウィンドウ５３０内に行われ得、送信Ｗ２  ５４０は信号ウィンドウ５３０に重なり、信号ウィンドウ５３０の外で終わる。送信Ｗ１  ５３５およびＷ２  ５４０は、信号ウィンドウ５３０の間にいくつかのセルラーデバイスによって行われる送信と同じ帯域幅（ＢＷ１）内に起こる。送信Ｗ３  ５４５は、帯域幅（ＢＷ１）内または外に起こり得る。いくつかの場合には、ＢＷ１は、ほぼ２０メガヘルツ（ＭＨｚ）であり得る。
【００７４】
[0089]第２の無認可のフレーム／区間５０５−ａにおいて、サイレント期間５１０−ａの後のＣＣＡ期間５２０−ａの間、ＣＣＡをうまく実行するセルラーデバイスはないので、信号ウィンドウ５３０−ａの間送信するセルラーデバイスはない。しかしながら、ＷＬＡＮデバイスは、送信Ｗ４  ５５０を行う。
【００７５】
[0090]第３の無認可のフレーム／区間５０５−ｂにおいて、１つまたは複数のセルラーデバイスは、サイレント期間５１０−ｂの後のＣＣＡ期間５２０−ｂ内にＣＣＡをうまく実行することができ、その後信号ウィンドウ５３０−ｂの間、無認可無線周波数スペクトル帯域（ＢＷ１）を通じてデータを送信または受信することができる。信号ウィンドウ５３０−ｂの間送信するＷＬＡＮデバイスはない。
【００７６】
[0091]送信Ｗ１  ５３５、Ｗ２  ５４０、およびＷ３  ５４５が帯域幅ＢＷ１および信号ウィンドウ５３０内でセルラーデバイスによって送信される信号の受信に干渉し得るので、セルラー信号上の送信Ｗ１  ５３５、Ｗ２  ５４０、およびＷ３  ５４５（すなわち、干渉信号）の影響を除去または軽減することが可能である受信機が望ましい。
【００７７】
[0092]干渉信号（たとえば、Ｗ１  ５３５、Ｗ２  ５４０、およびＷ３  ５４５）は、一般に非同期である。たとえば、干渉信号は、無認可無線周波数スペクトル帯域送信に関して非同期の傾向がある。それらは、無認可のフレーム／区間と比較して、様々な長さまたは持続時間に関してバースト的でもある。送信要求（ＲＴＳ）、送信可（ＣＴＳ）、ビーコン、肯定応答（ＡＣＫ）、およびデータパケットなどの信号は、幅広い様々な持続時間（たとえば、４０マイクロ秒から５．４８４ミリ秒まで）を有する。さらに、干渉信号の数は、無認可無線周波数スペクトル帯域送信／受信期間の持続時間にわたって変化し得る。
【００７８】
[0093]図５Ｂは、１つまたは複数のセルラーデバイス（たとえば、ｅＮＢおよび／またはＵＥ）が無認可のフレーム／区間５０５に従って無認可無線周波数スペクトル帯域を通じて通信するが、１つまたは複数のＷＬＡＮデバイスによって行われる同時のまたは重複した送信からの干渉に遭遇する例示的なシナリオ５６０を示す。いくつかの場合には、セルラーデバイスは、図１、図２、および／または図３を参照しながら説明したｅＮＢ１０５、２０５、および／もしくは３０５、ならびに／またはＵＥ１１５、２１５、および／もしくは３１５のうちの１つまたは複数を含み得る。
【００７９】
[0094]第１の無認可のフレーム／区間５０５において、１つまたは複数のセルラーデバイスは、サイレント期間５１０の後のＣＣＡ期間５２０内にＣＣＡをうまく実行することができ、その後送信／受信期間または信号ウィンドウ５３０の間、無認可無線周波数スペクトル帯域（ＢＷ１）を通じてデータを送信または受信することができる。しかしながら、１つまたは複数のＷＬＡＮデバイスは、信号ウィンドウ５３０の間送信することもできる。送信Ｗ１  ５６５は完全に信号ウィンドウ５３０内で行われるが、その帯域幅（ＢＷ２）はセルラーデバイスによって行われる送信の帯域幅（ＢＷ１）を超えて延びる。送信Ｗ２  ５７０は、信号ウィンドウ５３０に重なり、信号ウィンドウ３０の外で終わるが、セルラーデバイスによって送信のために使用される同じ帯域幅（ＢＷ１）内で行われる。いくつかの場合には、ＢＷ１はほぼ２０ＭＨｚであり得、ＢＷ２はほぼ４０ＭＨｚであり得る。
【００８０】
[0095]第２の無認可のフレーム／区間５０５−ａにおいて、サイレント期間５１０−ａの後のＣＣＡ期間５２０−ａの間、ＣＣＡをうまく実行するセルラーデバイスはないので、信号ウィンドウ５３０−ａの間送信するセルラーデバイスはない。しかしながら、ＷＬＡＮデバイスは、帯域幅ＢＷ２を使用して送信Ｗ３  ５７５を行う。
【００８１】
[0096]第３の無認可のフレーム／区間５０５−ｂにおいて、１つまたは複数のセルラーデバイスは、サイレント期間５１０−ｂの後のＣＣＡ期間５２０−ｂ内にＣＣＡをうまく実行することができ、その後信号ウィンドウ５３０−ｂの間、無認可無線周波数スペクトル帯域（ＢＷ１）を通じてデータを送信または受信することができる。信号ウィンドウ５３０−ｂの間送信するＷＬＡＮデバイスはない。
【００８２】
[0097]送信Ｗ１  ５６５およびＷ２  ５７０が帯域幅ＢＷ１および信号ウィンドウ５３０内でセルラーデバイスによって送信される信号の受信に干渉し得るので、セルラー信号上の送信Ｗ１  ５６５およびＷ２  ５７０（すなわち、干渉信号）の影響を除去または軽減することが可能である受信機が望ましい。
【００８３】
[0098]干渉信号（たとえば、Ｗ１  ５６５およびＷ２  ５７０）は、時間とともに変動する送信帯域幅を有し得る。たとえば、干渉信号の送信帯域幅は、２０ＭＨｚ、４０ＭＨｚ、８０ＭＨｚ、１６０ＭＨｚ、または８０ＭＨｚ＋８０ＭＨｚとすることができる。
【００８４】
[0099]図６は、様々な例に従ってワイヤレス通信において使用するために統合された受信機モジュール６２０のブロック図６００を示す。いくつかの例では、たとえばｅＮＢ１０５、２０５、および／もしくは３０５、またはＵＥ１１５、２１５、および／もしくは３１５など、図１、図２、および／もしくは図３に関して記載されているセルラーデバイスのいずれかまたは各々において、統合された受信機モジュール６２０が使用され得る。統合された受信機モジュール６２０は、アンテナ６１０、無線周波数（ＲＦ）モジュール６３０、Ａ−Ｄモジュール６４０、バッファ６５０、セルラー受信機モジュール６６０、および／またはＷＬＡＮ受信機モジュール６７０を含み得る。これらの構成要素の各々は互いに通信し得る。
【００８５】
[0100]統合された受信機モジュール６２０の構成要素は、ハードウェアにおいて適用可能な機能の一部または全部を実行するように適応された１つまたは複数の特定用途向け集積回路（ＡＳＩＣ）とともに、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００８６】
[0101]他の構成では、ＲＦモジュール６３０は、無認可無線周波数スペクトル帯域のワイヤレスチャネル（または帯域幅）を通じて複数の信号を受信し、受信信号のアナログフィルタリングまたはいくつかの他のアナログ信号処理操作を実行することができる。このフィルタリングの後、受信信号の収集は、Ａ−Ｄモジュール６４０によってデジタル信号（たとえば、複数のデジタルサンプル）に変換され得る。デジタルサンプルは、バッファ６５０に記憶され得る。
【００８７】
[0102]いくつかの例では、複数の信号は、少なくともＷＬＡＮ信号とセルラー信号とを含み得る。ＷＬＡＮ受信機モジュール６７０は、ＷＬＡＮ信号の少なくとも一部分を再構成するために、バッファ６５０からの記憶されたデジタルサンプルにアクセスすることができる。いくつかの場合には、ＷＬＡＮ受信機モジュール６７０は、ＷＬＡＮ信号を送信したアクセスポイントに関連付けられることなく、再構成を実行するように構成され得る。ＷＬＡＮ信号の少なくとも一部分を再構成すると、ＷＬＡＮ受信機モジュール６７０は、バッファ６５０内の記憶されたデジタルサンプルからＷＬＡＮ信号の再構成された部分を削除し、リンク６７５を介してセルラー受信機モジュール６６０に通知することができる。セルラー受信機モジュール６６０は、次いで、セルラー信号の復調および復号のために（たとえば、ＦＦＴモジュール６６５を使用して）周波数領域にバッファ６５０のコンテンツを変換することができる。ＷＬＡＮ受信機モジュール６７０は、いくつかの場合には、（たとえば、ＦＦＴモジュール６８０を使用して）再構成されたＷＬＡＮ信号を周波数領域に変換することができる。
【００８８】
[0103]いくつかの例では、ＷＬＡＮ受信機モジュール６７０は、バッファ６５０から記憶されたデジタルサンプルにアクセスし、複数の信号における干渉信号（たとえば、ＷＬＡＮ信号）を削除するためにコードワードレベルの干渉消去（ＣＷＩＣ）を適用すべきか、シンボルレベルの干渉消去（ＳＬＩＣ）を適用すべきかを決定することができる。ＣＷＩＣを適用するかＳＬＩＣを適用するかの決定は、干渉信号が複数の信号におけるセルラー信号のための所望の信号ウィンドウ内にあるか、サポートされた帯域幅内にあるかに少なくとも部分的に基づき得る。ＣＷＩＣまたはＳＬＩＣの適用は、バッファ６５０のコンテンツからの干渉信号（たとえば、ＷＬＡＮ信号）の削除に対応し得る。
【００８９】
[0104]いくつかの例では、複数の信号は、少なくともセルラー信号と干渉信号（ＷＬＡＮ信号）とを含み得る。ＷＬＡＮ受信機モジュール６７０は、干渉信号のプリアンブルから干渉信号の持続時間を識別するために、バッファ６５０からの記憶されたデジタルサンプルにアクセスすることができる。次いで、ＷＬＡＮ受信機モジュール６７０は、セルラー受信機モジュール６６０に持続時間を通知することができ、セルラー受信機モジュール６６０は、少なくとも部分的に干渉信号の持続時間に基づいてその構成および／または動作を適応させることができる。その後、セルラー受信機モジュール６６０は、セルラー信号の復調および復号のために（たとえば、ＦＦＴモジュール６６５を使用して）周波数領域にバッファ６５０のコンテンツを変換することができる。
【００９０】
[0105]次に図７Ａを参照すると、ブロック図７００は、様々な例によるワイヤレス通信における使用のためのデバイス７０５を示す。いくつかの例では、デバイス７０５は、図１、図２、および／または図３を参照しながら説明したｅＮＢ１０５、２０５、および／または３０５の１つまたは複数の態様の一例であり得る。他の例では、デバイス７０５は、図１、図２、および／または図３を参照しながら説明したＵＥ１１５、２１５、および／または３１５の１つまたは複数の態様の一例であり得る。デバイス７０５は、プロセッサでもあり得る。デバイス７０５は統合された受信モジュール７１０を含み得る。
【００９１】
[0106]統合された受信機モジュール７１０は、いくつかの場合には、図６を参照しながら説明した統合された受信機モジュール６２０の１つまたは複数の態様の一例であり得、ＲＦフロントエンド７１５、Ａ−Ｄ変換器７２０、共有バッファ７２５、セルラー受信機７３０、および／またはＷＬＡＮ受信機７３５を含み得る。これらの構成要素の各々は互いに通信し得る。
【００９２】
[0107]統合された受信機モジュール７１０の構成要素は、個別にまたは集合的に、ハードウェア中の適用可能な機能の一部または全部を実行するように適用された１つまたは複数のＡＳＩＣを用いて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００９３】
[0108]他の構成では、ＲＦモジュール７１５は、無認可無線周波数スペクトル帯域のワイヤレスチャネル（または帯域幅）を通じて複数の信号を受信し、受信信号のアナログフィルタリングまたはいくつかの他のアナログ信号処理操作を実行することができる。このフィルタリングの後、受信信号の収集は、Ａ−Ｄ変換器７２０によってデジタル信号（たとえば、複数のデジタルサンプル）に変換され得る。デジタルサンプルは、共有バッファ７２５に記憶され得る。
【００９４】
[0109]いくつかの例では、複数の信号は、少なくともＷＬＡＮ信号とセルラー信号とを含み得る。ＷＬＡＮ受信機７３５は、ＷＬＡＮ信号の少なくとも一部分を再構成するために、共有バッファ７２５からの記憶されたデジタルサンプルにアクセスすることができる。いくつかの場合には、ＷＬＡＮ受信機７３５は、ＷＬＡＮ信号を送信したアクセスポイントに関連付けられることなく、再構成を実行するように構成され得る。ＷＬＡＮ信号の少なくとも一部分を再構成すると、ＷＬＡＮ受信機７３５は、共有バッファ７２５内の記憶されたデジタルサンプルからＷＬＡＮ信号の再構成された部分を削除し、セルラー受信機７３０に通知することができる。次いで、セルラー受信機７３０は、共有バッファ７２５のコンテンツを、セルラー信号の復調および復号のために周波数領域に変換することができる。
【００９５】
[0110]いくつかの例では、ＷＬＡＮ受信機７３５は、共有バッファ７２５からの記憶されたデジタルサンプルにアクセスし、複数の信号における干渉信号（たとえば、ＷＬＡＮ信号）を削除するためにＣＷＩＣを適用すべきか、ＳＬＩＣを適用すべきかを決定することができる。ＣＷＩＣを適用するかＳＬＩＣを適用するかの決定は、干渉信号が複数の信号におけるセルラー信号のための所望の信号ウィンドウ内にあるか、サポートされた帯域幅内にあるかに少なくとも部分的に基づき得る。
【００９６】
[0111]いくつかの例では、複数の信号は、少なくともセルラー信号と干渉信号（ＷＬＡＮ信号）とを含み得る。ＷＬＡＮ受信機７３５は、干渉信号のプリアンブルから干渉信号の持続時間を識別するために、共有バッファ７２５からの記憶されたデジタルサンプルにアクセスすることができる。次いで、ＷＬＡＮ受信機７３５は、セルラー受信機７３０に持続時間を通知することができ、セルラー受信機７３０は、少なくとも部分的に干渉信号の持続時間に基づいてその構成を適応させることができる。その後、セルラー受信機７３０は、共有バッファ７２５のコンテンツを、セルラー信号の復調および復号のために周波数領域に変換することができる。
【００９７】
[0112]次に図７Ｂを参照すると、ブロック図７４０は、様々な例によるワイヤレス通信における使用のためのＷＬＡＮ受信機７５０の一例を示す。いくつかの例では、ＷＬＡＮ受信機７５０は、図６および／または図７Ａを参照しながら説明したＷＬＡＮ受信機モジュール６７０および／またはＷＬＡＮ受信機７３５の１つまたは複数の態様の一例であり得る。ＷＬＡＮ受信機７５０は、ＷＬＡＮ信号再構成モジュール７５１、ＷＬＡＮ信号削除モジュール７５２、エネルギーメトリック追跡モジュール７５３、信号持続時間識別モジュール７５４、信号帯域幅識別モジュール７５５、信号ウィンドウおよび拡張されたウィンドウモジュール（signal window and expanded window module）７５６、サポートされ拡張された帯域幅モジュール（supported and expanded bandwidths module）７５７、干渉消去選択モジュール７５８、ＣＷＩＣモジュール７５９、ＳＬＩＣモジュール７６０、および／またはセルラー受信機インターフェースモジュール７６１を含み得る。
【００９８】
[0113]ＷＬＡＮ受信機７５０の構成要素は、個別にまたは集合的に、ハードウェア中の適用可能な機能の一部または全部を実行するように適用された１つまたは複数のＡＳＩＣを用いて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００９９】
[0114]一構成では、ＷＬＡＮ信号再構成モジュール７５１は、記憶されたデジタルサンプルからＷＬＡＮ信号の少なくとも一部分を再構成するために使用され得る。ＷＬＡＮ信号が完全に信号ウィンドウの持続時間または予想されるセルラー信号の帯域幅内にあるとき、または拡張されたウィンドウまたは拡張された帯域幅分析がモジュール７５７および／または７５８を使用して呼び出されるとき、ＷＬＡＮ信号の全部が再構成され得る。ＷＬＡＮ信号またはその一部分は、いくつかの場合には、記憶されたデジタルサンプルからＷＬＡＮプリアンブルを検出することと、ＷＬＡＮペイロードについての変調および符号化情報を識別するために、ＷＬＡＮプリアンブルを復号することと、少なくとも部分的に変調および符号化情報に基づいて、ＷＬＡＮペイロードの少なくとも一部分を復調することとによって再構成され得る。いくつかの場合には、ＷＬＡＮ信号またはその一部分は、受信された複数の信号におけるセルラー信号の持続時間を識別し、セルラー信号の持続時間と同じ持続時間を有するＷＬＡＮ信号の一部分を再構成した後、再構成され得る。
【０１００】
[0115]一構成では、ＷＬＡＮ信号削除モジュール７５２は、記憶されたデジタルサンプルからＷＬＡＮ信号の再構成された部分を削除するために使用され得る。たとえば、削除は、ＣＷＩＣまたはＳＬＩＣの適用または使用を含み得、または伴い得る。
【０１０１】
[0116]一構成では、エネルギーメトリック追跡モジュール７５３は、エネルギーに対応するメトリック、受信信号を追跡し、追跡されているメトリックがしきい値を超えるまで、ＷＬＡＮ信号の少なくとも一部分を再構成し得る。このようにして、デバイスのバッテリー寿命は、ＷＬＡＮ信号または他の干渉信号が干渉問題を提示すると考えられない限り、受信されたＷＬＡＮ信号または受信信号からの他の干渉信号の再構成および削除を行わないことによって拡張され得る。
【０１０２】
[0117]一構成では、信号持続時間識別モジュール７５４は、干渉信号のプリアンブルから干渉信号の持続時間を識別するために使用され得る。次いで、セルラー信号の復調および復号の前に受信機を適応させるために、持続時間がセルラー受信機（たとえば、セルラー受信機７３０）に伝えられ得る。干渉信号が所望の信号ウィンドウ内にあるかどうかを決定するために、持続時間は、干渉消去選択モジュール７５８によっても使用され得、それによって、ＣＷＩＣまたはＳＬＩＣの適用が複数の受信信号から干渉信号を削除することができる。
【０１０３】
[0118]一構成では、信号帯域幅識別モジュール７５５は、ＷＬＡＮ信号または他の干渉信号がセルラー信号の帯域幅内にあるか、部分的にその中にあるか、またはその外にあるかを決定し得る。この決定は、干渉信号がサポートされた帯域幅内にあるかどうかを決定するために、干渉消去選択モジュール７５８によって使用され得、それによって、ＣＷＩＣまたはＳＬＩＣの適用が複数の受信信号から干渉信号を削除することができる。
【０１０４】
[0119]一構成では、信号ウィンドウおよび拡張されたウィンドウモジュール７５６は、受信されたセルラー信号の信号ウィンドウ内に含まれる干渉信号の一部分が再構成されるか、または受信されたセルラー信号の信号ウィンドウに入らない干渉信号の一部分も再構成されるか（たとえば、再構成のために拡張されたウィンドウを使用して）を決定し得る。
【０１０５】
[0120]一構成では、サポートされ拡張された帯域幅モジュール７５７は、受信されたセルラー信号の信号帯域幅内に含まれる干渉信号の一部分が再構成されるか、または受信されたセルラー信号の帯域幅に入らない干渉信号の一部分も再構成されるか（たとえば、再構成のために拡張された帯域幅を使用して）を決定し得る。
【０１０６】
[0121]一構成では、干渉消去選択モジュール７５８は、干渉信号受信信号を削除するために、ＣＷＩＣを適用するかＳＬＩＣを適用するかを決定し得る。決定は、信号持続時間識別モジュール７５４および／または信号帯域識別モジュール７５５によって決定されるように、干渉信号が複数の信号におけるセルラー信号のための所望の信号ウィンドウ内にあるか、サポートされた帯域幅内にあるかに少なくとも部分的に基づき得る。所望の信号ウィンドウおよび／またはサポートされた帯域幅内の干渉信号の一部分が再構成されるとき、ならびに干渉信号が少なくとも部分的に所望の信号ウィンドウの外にある、および／または少なくとも部分的に、サポートされた帯域幅の外にあるという決定が行われたとき、干渉信号を削除するために、ＳＬＩＣが適用され得る。所望の信号および／またはサポートされた帯域幅内の干渉信号の一部分が再構成されるとき、ならびに干渉信号が所望の信号ウィンドウ内にある、または所望の帯域幅内にあるという決定が行われたとき、干渉信号を削除するために、（あまり頑強ではないが、ＳＬＩＣが適用されることもあり得るが）ＣＷＩＣが適用され得る。干渉信号がサポートされた帯域幅の外にある、および／または所望の信号ウィンドウの外にあるという決定が行われたとき、ならびに拡張された信号ウィンドウおよび／または拡張された帯域幅を使用して干渉信号が再構成されるとき、干渉信号を削除するために、（ＳＬＩＣが適用されてもよいが）ＣＷＩＣが適用され得る。
【０１０７】
[0122]一構成では、ＣＷＩＣモジュール７５９は、受信信号における干渉信号を除去するために、ＣＷＩＣを適用することができる。ＣＷＩＣモジュール７５９は、干渉消去選択モジュール７５８によってアクティブ化され得る。
【０１０８】
[0123]一構成では、ＳＬＩＣモジュール７６０は、複数の受信信号における干渉信号を削除するために、ＳＬＩＣを適用することができる。ＳＬＩＣモジュール７６０は、干渉消去選択モジュール７５８によってアクティブ化され得る。
【０１０９】
[0124]一構成では、セルラー受信機インターフェースモジュール７６１は、図６、図７Ａ、および／または図７Ｃを参照しながら説明した、たとえばセルラー受信機または受信機モジュール６６０、７３０、および／または７８０など、セルラー受信機との間で信号の通信を行うことができる。
【０１１０】
[0125]次に図７Ｃを参照すると、ブロック図７７０は、様々な例による統合された受信機モジュールにおける使用のためのセルラー受信機７８０の一例を示す。いくつかの例では、セルラー受信機７８０は、図６および／または図７Ａを参照しながら説明したセルラー受信機モジュール６６０、および／またはセルラー受信機７３０の１つまたは複数の態様の一例であり得る。セルラー受信機７８０は、干渉信号持続時間モジュール７８１、ノイズ推定適応モジュール７８２、コードブロック復号適応モジュール７８３、チャネル状態情報（ＣＳＩ）レポート適応モジュール７８４、周波数追跡ループ適応モジュール７８５、セルラー信号復調モジュール７８６、セルラー信号復号モジュール７８７、および／またはＷＬＡＮ受信機インターフェースモジュール７８８を含み得る。
【０１１１】
[0126]セルラー受信機７８０の構成要素は、個別にまたは集合的に、ハードウェア中の適用可能な機能の一部または全部を実行するように適用された１つまたは複数のＡＳＩＣを用いて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１１２】
[0127]一構成では、干渉信号持続時間モジュール７８１は、図６、図７Ａ、および／または図７Ｂを参照しながら説明した、たとえばＷＬＡＮ受信機または受信機モジュール６７０、７３５、および／または７５０など、ＷＬＡＮ受信機から干渉信号（たとえば、ＷＬＡＮ信号）の持続時間を受信し得る。
【０１１３】
[0128]一構成では、ノイズ推定適応モジュール７８２は、干渉信号の間、第１のノイズ推定技法を受信されたセルラー信号に適用し、干渉信号持続時間モジュール７８１によって受信される持続時間によって決定されるように、干渉信号の持続時間外に、第２のノイズ推定技法を受信されたセルラー信号に適用し得る。
【０１１４】
[0129]一構成では、ノイズ推定適応モジュール７８２は、干渉信号の間、第１のノイズ推定分解能を受信されたセルラー信号に適用し、干渉信号持続時間モジュール７８１によって受信される持続時間によって決定されるように、干渉信号の持続時間外に、第２のノイズ推定分解能を受信されたセルラー信号に適用し得る。
【０１１５】
[0130]一構成では、コードブロック復号適応モジュール７８３は、干渉信号の間に生じる受信されたセルラー信号におけるコードブロックを識別し、干渉信号の持続時間外に生じるセルラー信号における任意の残りのコードブロックを復号する前に識別されたコードブロックを復号し得る。
【０１１６】
[0131]一構成では、ＣＳＩレポート適応モジュール７８４は、干渉信号の持続時間がしきい値未満であるとき、ＣＳＩレポートから、干渉信号に関する情報を削除し得る。
【０１１７】
[0132]一構成では、周波数追跡ループ適応モジュール７８５は、たとえば周波数追跡ループなど、ＬＴＥ追跡ループを実行するために、無認可無線周波数スペクトル帯域送信のＯＦＦ期間の間に、ＷｉＦｉ信号（またはＷＬＡＮ受信機によって提供されるＷｉＦｉ信号に関する情報）を使用し得る。
【０１１８】
[0133]一構成では、受信されたセルラー信号を復調する（おそらくモジュール７８１、７８２、７８３、７８４および／または７８５を使用してセルラー受信機７８０を適応させた後）ために、セルラー信号復調モジュール７８６が使用され得る。
【０１１９】
[0134]一構成では、受信されたセルラー信号を復号する（おそらくモジュール７８１、７８２、７８３、７８４および／または７８５を使用してセルラー受信機７８０を適応させた後）ために、セルラー信号復号モジュール７８７が使用され得る。
【０１２０】
[0135]一構成では、ＷＬＡＮ受信機インターフェースモジュール７８８は、図６、図７Ａ、および／または図７Ｂを参照しながら説明した、たとえばＷＬＡＮ受信機または受信機モジュール６７０、７３５、および／または７５０など、ＷＬＡＮ受信機との間で信号の通信を行うことができる。
【０１２１】
[0136]図８を参照すると、無認可無線周波数スペクトル帯域のために構成されるｅＮＢ８０５を示すブロック図８００が示される。いくつかの例では、ｅＮＢ８０５は、図１、図２、図３、および／または図７Ａを参照しながら説明したｅＮＢまたはデバイス１０５、２０５、３０５、および／または７０５の１つまたは複数の態様の一例であり得る。ｅＮＢ８０５は、図６、図７Ａ、図７Ｂ、および／または図７Ｃを参照しながら説明した統合された受信機の特徴および機能のうちの少なくともいくつかを実施するように構成され得る。ｅＮＢ８０５は、プロセッサモジュール８１０、メモリモジュール８２０、少なくとも１つのトランシーバモジュール（トランシーバモジュール８５５によって表される）、少なくとも１つのアンテナ（アンテナ８６０によって表される）、および／またはｅＮＢ通信モジュール８７０を含み得る。ｅＮＢ８０５はまた、基地局通信モジュール８３０およびネットワーク通信モジュール８４０のうちの一方または両方を含み得る。これらの構成要素の各々は、１つまたは複数のバス８３５を通じて、直接的または間接的に互いに通信し得る。
【０１２２】
[0137]メモリモジュール８２０は、ランダムアクセスメモリ（ＲＡＭ）および／または読取り専用メモリ（ＲＯＭ）を含み得る。メモリモジュール８２０は、実行されるとき、プロセッサモジュール８１０に、セルラー信号からの干渉信号の削除を含めて、認可および／または無認可無線周波数スペクトル帯域の中でＬＴＥベースの通信を受信し使用するために、本明細書で説明される様々な機能を実行させるように構成される命令を含む、コンピュータ可読でコンピュータ実行可能なソフトウェア（ＳＷ）コード８２５を記憶し得る。代替的に、ソフトウェアコード８２５は、プロセッサモジュール８１０によって直接的に実行可能でない場合があるが、たとえば、コンパイルされ実行されると、ｅＮＢ８０５に本明細書で説明する機能のうちの様々な機能を実行させるように構成され得る。
【０１２３】
[0138]プロセッサモジュール８１０は、インテリジェントハードウェアデバイス、たとえば、中央処理ユニット（ＣＰＵ）、マイクロコントローラ、ＡＳＩＣなどを含み得る。プロセッサモジュール８１０は、トランシーバモジュール８５５、基地局通信モジュール８３０、および／またはネットワーク通信モジュール８４０を通じて受信された情報を処理し得る。プロセッサモジュール８１０はまた、アンテナ８６０を通じた送信のためにトランシーバモジュール８５５へ送られるべき情報、１つまたは複数の他の基地局またはｅＮＢ８０５−ａおよび８０５−ｂへの送信のために基地局通信モジュール８３０へ送られるべき情報、ならびに／または図１および／もしくは図３Ａを参照しながら説明したコアネットワーク１３０の態様の一例であり得るコアネットワーク８４５への送信のためにネットワーク通信モジュール８４０へ送られるべき情報を、処理し得る。プロセッサモジュール８１０は、単独で、またはｅＮＢ通信モジュール８７０とともに、セルラー信号からの干渉信号の削除を含めて、認可および／または無認可無線周波数スペクトル帯域の中でＬＴＥベースの通信を受信し使用する様々な態様を処理することができる。
【０１２４】
[0139]トランシーバモジュール８５５は、パケットを変調するとともに変調されたパケットを送信のためにアンテナ８６０に供給し、アンテナ８６０から受信されたパケットを復調するように構成されるモデムを含み得る。トランシーバモジュール８５５は、１つまたは複数の送信機モジュールおよび１つまたは複数の別個の受信機モジュールとして実装され得る。トランシーバモジュール８５５は、少なくとも１つの認可無線周波数スペクトル帯域（たとえば、ＬＴＥスペクトル）の中の、および少なくとも１つの無認可無線周波数スペクトル帯域の中の通信をサポートし得る。トランシーバモジュール８５５は、たとえば、図１、図２、および／または図３を参照しながら説明したＵＥ１１５、２１５、および／または３１５の１つまたは複数と、アンテナ８６０を介して、双方向に通信するように構成され得る。トランシーバモジュール８５５は、たとえば、図６、図７Ａ、図７Ｂ、および／または図７Ｃを参照して説明した統合された受信機の特徴または機能の一部もしくは全部を実行するように構成される、統合された受信機モジュール８６５を含み、または実施することができる。いくつかの場合には、統合された受信機モジュール８６５の１つまたは複数の態様の動作は、プロセッサモジュール８１０によって調整され得る。
【０１２５】
[0140]ｅＮＢ８０５は、通常、複数のアンテナ８６０（たとえば、アンテナアレイ）を含み得る。ｅＮＢ８０５は、ネットワーク通信モジュール８４０を通じてコアネットワーク８４５と通信し得る。コアネットワーク８４５は、図１を参照しながら説明したコアネットワーク１３０のうちの１つまたは複数の態様の一例であり得る。ｅＮＢ８０５は、基地局通信モジュール８３０を使用して、ｅＮＢ８０５−ａおよび８０５−ｂなどの他の基地局またはｅＮＢと通信し得る。
【０１２６】
[0141]図８のアーキテクチャによれば、ｅＮＢ８０５は通信管理モジュール８５０をさらに含むことができる。通信管理モジュール８５０は、他の基地局、ｅＮＢ、および／またはデバイスとの通信を管理し得る。通信管理モジュール８５０は、１つまたは複数のバス８３５を介して、ｅＮＢ８０５の他の構成要素の一部または全部と通信し得る。代替として、通信管理モジュール８５０の機能性は、トランシーバモジュール８５５の構成要素として、コンピュータプログラム製品として、および／またはプロセッサモジュール８１０の１つもしくは複数のコントローラ要素として実装され得る。
【０１２７】
[0142]ｅＮＢ通信モジュール８７０は、認可および／または無認可無線周波数スペクトル帯域の中でＬＴＥベースの通信を受信し使用することに関して、図１、図２、図３、図６、図７Ａ、図７Ｂ、および／または図７Ｃを参照しながら説明した認可および無認可無線周波数スペクトル帯域の機能または態様の一部または全部を、実行および／または制御するように構成され得る。たとえば、ｅＮＢ通信モジュール８７０は、補足的なダウンリンクモード、キャリアアグリゲーションモード、および／またはスタンドアロンモードをサポートするように構成され得る。ｅＮＢ通信モジュール８７０は、認可無線周波数スペクトル帯域を通じてＬＴＥ通信を処理するように構成された認可ＬＴＥモジュール８７５、無認可無線周波数スペクトル帯域を通じてＬＴＥ通信を処理するように構成された無認可ＬＴＥモジュール８８０、および／または無認可無線周波数スペクトル帯域を通じてＬＴＥ以外の通信を処理するように構成された無認可モジュール８８５を含み得る。ｅＮＢ通信モジュール８７０またはその一部分はプロセッサを含み得、および／またはｅＮＢ通信モジュール８７０の機能性の一部もしくは全部は、プロセッサモジュール８１０によっておよび／またはプロセッサモジュール８１０とともに実行され得る。
【０１２８】
[0143]図９を参照すると、無認可無線周波数スペクトル帯域のために構成されるＵＥ９１５を示すブロック図９００が示される。ＵＥ９１５は様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるか、またはその一部であり得る。ＵＥ９１５は、モバイル動作を容易にするために、小型バッテリーなどの内蔵電源（図示せず）を有し得る。いくつかの例では、ＵＥ９１５は、図１、図２、図３、および／または図７Ａを参照しながら説明したＵＥまたはデバイス１１５、２１５、３１５、および／または７０５のうちの１つまたは複数の態様の一例であり得る。ＵＥ９１５は、図６、図７Ａ、図７Ｂ、および／または図７Ｃを参照して説明した統合された受信機の特徴および機能のうちの少なくともいくつかを実施するように構成され得る。ＵＥ９１５は、図１、図２、図３、および／または図７Ａを参照しながら説明したｅＮＢまたはデバイス１０５、２０５、３０５、および／または７０５のうちの１つまたは複数と通信するようにも構成され得る。
【０１２９】
[0144]ＵＥ９１５は、プロセッサモジュール９１０、メモリモジュール９２０、少なくとも１つのトランシーバモジュール（トランシーバモジュール９７０によって表される）、少なくとも１つのアンテナ（アンテナ９８０によって表される）、および／またはＵＥ通信モジュール９４０を含み得る。これらの構成要素の各々は、１つまたは複数のバス９３５を通じて、直接的または間接的に互いに通信し得る。
【０１３０】
[0145]メモリモジュール９２０は、ＲＡＭおよび／またはＲＯＭを含み得る。メモリモジュール９２０は、実行されるとき、プロセッサモジュール９１０に、セルラー信号からの干渉信号の削除を含めて、認可および／または無認可無線周波数スペクトル帯域の中でＬＴＥベースの通信を受信し使用するために、本明細書で説明される様々な機能を実行させるように構成される命令を含む、コンピュータ可読でコンピュータ実行可能なソフトウェア（ＳＷ）コード９２５を記憶し得る。代替的に、ソフトウェアコード９２５は、プロセッサモジュール９１０によって直接的に実行可能でない場合があるが、（たとえば、コンパイルされ実行されると）ＵＥ９１５に本明細書で説明するＵＥの機能のうちの様々な機能を実行させるように構成され得る。
【０１３１】
[0146]プロセッサモジュール９１０は、インテリジェントハードウェアデバイス、たとえば、ＣＰＵ、マイクロコントローラ、ＡＳＩＣなどを含み得る。プロセッサモジュール９１０は、トランシーバモジュール９７０を通じて受信された情報、および／またはアンテナ９８０を介した送信のためにトランシーバモジュール９７０へ送られるべき情報を処理し得る。プロセッサモジュール９１０は、単独で、またはＵＥ通信モジュール９４０とともに、認可および／または無認可無線周波数スペクトル帯域の中でＬＴＥベースの通信を受信し使用する様々な態様を処理することができる。
【０１３２】
[0147]トランシーバモジュール９７０は、ｅＮＢと双方向に通信するように構成され得る。トランシーバモジュール９７０は、１つまたは複数の送信機モジュールおよび１つまたは複数の別個の受信機モジュールとして実装され得る。トランシーバモジュール９７０は、少なくとも１つの認可無線周波数スペクトル帯域（たとえば、ＬＴＥスペクトル）の中の、および少なくとも１つの無認可無線周波数スペクトル帯域の中の通信をサポートし得る。トランシーバモジュール９７０は、パケットを変調するとともに変調されたパケットを送信のためにアンテナ９８０に供給し、アンテナ９８０から受信されたパケットを復調するように構成されるモデムを含み得る。ＵＥ９１５は、単一のアンテナを含む場合があるが、ＵＥ９１５が複数のアンテナ９８０を含み得る例が存在する場合がある。
【０１３３】
[0148]トランシーバモジュール９７０は、たとえば、図６、図７Ａ、図７Ｂ、および／または図７Ｃを参照して説明した統合された受信機の特徴または機能の一部もしくは全部を実行するように構成される、統合された受信機モジュール９７５をさらに含み、または実施することができる。いくつかの場合には、統合された受信機モジュール９７５の１つまたは複数の態様の動作は、プロセッサモジュール９１０によって調整され得る。
【０１３４】
[0149]図９のアーキテクチャによれば、ＵＥ９１５はさらに、通信管理モジュール９３０を含み得る。通信管理モジュール９３０は、様々な基地局またはｅＮＢとの通信を管理し得る。通信管理モジュール９３０は、１つまたは複数のバス９３５を通じてＵＥ９１５の他の構成要素の一部または全部と通信する、ＵＥ９１５の構成要素であり得る。代替として、通信管理モジュール９３０の機能性は、トランシーバモジュール９７０の構成要素として、コンピュータプログラム製品として、および／またはプロセッサモジュール９１０の１つもしくは複数のコントローラ要素として実装され得る。
【０１３５】
[0150]ＵＥ通信モジュール９４０は、認可および／または無認可無線周波数スペクトル帯域の中でＬＴＥベースの通信を受信し使用することに関して、図１、図２、図３、図６、図７Ａ、図７Ｂ、および／または図７Ｃに説明したＵＥ無認可無線周波数スペクトル帯域の機能または態様の一部もしくは全部を実行し、および／または制御するように構成され得る。たとえば、ＵＥ通信モジュール９４０は、補足的なダウンリンクモード、キャリアアグリゲーションモード、および／またはスタンドアロンモードをサポートするように構成され得る。ＵＥ通信帯域モジュール９４０は、認可無線周波数スペクトル帯域を通じてＬＴＥ通信を処理するように構成された認可ＬＴＥモジュール９４５、無認可無線周波数スペクトル帯域を通じて通信を処理するように構成された無認可ＬＴＥモジュール９５０、および／または無認可無線周波数スペクトル帯域を通じてＬＴＥ以外の通信を処理するように構成された無認可モジュール９５５を含み得る。ＵＥ通信モジュール９４０またはその一部分はプロセッサを含み得、および／またはＵＥ通信モジュール９４０の機能性の一部もしくは全部は、プロセッサモジュール９１０によっておよび／またはプロセッサモジュール９１０とともに実行され得る。
【０１３６】
[0151]次に図１０を参照すると、ｅＮＢ１００５とＵＥ１０１５とを含む多入力多出力（ＭＩＭＯ）通信システム１０００のブロック図が示される。ｅＮＢ１００５およびＵＥ１０１５は、認可および／または無認可無線周波数スペクトル帯域を使用したＬＴＥベースの通信をサポートすることができる。ｅＮＢ１００５は、図１、図２、図３Ａ、図３Ｂ、図７Ａ、および／または図８を参照しながら説明したｅＮＢまたはデバイス１０５、２０５、３０５、７０５、および／または８０５の１つまたは複数の態様の一例であり得、ＵＥ１０１５は、図１、図２、図３、図７、および／または図９を参照しながら説明したＵＥまたはデバイス１１５、２１５、３１５、７０５、および／または９０５の１つまたは複数の態様の一例であり得る。システム１０００は、図１、図２、図３Ａ、および／または図３Ｂを参照しながら説明したワイヤレス通信システム１００、２００、３００、および／または３３０の態様を示し得る。
【０１３７】
[0152]ｅＮＢ１００５はアンテナ１０３４−ａ〜１０３４−ｘを備え得、ＵＥ１０１５はアンテナ１０５２−ａ〜１０５２−ｎを備え得る。システム１０００では、ｅＮＢ１００５は複数の通信リンクを通じて同時にデータを送ることが可能であり得る。各通信リンクは「レイヤ」と呼ばれる場合があり、通信リンクの「ランク」は、通信に使用されるレイヤの数を示すことができる。たとえば、ｅＮＢ１００５が２つの「レイヤ」を送信する２×２ＭＩＭＯシステムでは、ｅＮＢ１００５とＵＥ１０１５との間の通信リンクのランクは２であり得る。
【０１３８】
[0153]ｅＮＢ１００５において、送信（Ｔｘ）プロセッサ１０２０がデータソースからデータを受信することができる。送信プロセッサ１０２０は、データを処理し得る。送信プロセッサ１０２０はまた、基準シンボルおよび／またはセル固有基準信号を生成し得る。送信（Ｔｘ）ＭＩＭＯプロセッサ１０３０は、適用可能な場合、データシンボル、制御シンボル、および／または基準シンボルに対して空間処理（たとえば、プリコーディング）を実施し得、出力シンボルストリームを送信（Ｔｘ）変調器１０３２−ａ〜１０３２−ｘに供給し得る。各変調器１０３２は、出力サンプルストリームを取得するために、（たとえば、ＯＦＤＭなどのための）それぞれの出力シンボルストリームを処理し得る。各変調器１０３２は、ダウンリンク（ＤＬ）信号を取得するために、その出力サンプルストリームをさらに処理（たとえば、アナログ変換、増幅、フィルタ処理、およびアップコンバート）し得る。１つの例では、変調器１０３２−ａ〜１０３２−ｘからのＤＬ信号は、それぞれアンテナ１０３４−ａ〜１０３４−ｘを介して送信され得る。
【０１３９】
[0154]ＵＥ１０１５において、アンテナ１０５２−ａ〜１０５２−ｎは、ｅＮＢ１００５からＤＬ信号を受信し得、受信された信号をそれぞれ受信（Ｒｘ）復調器１０５４−ａ〜１０５４−ｎに供給し得る。各復調器１０５４は入力サンプルを取得するために、それぞれの受信信号を調整（たとえば、フィルタ処理、増幅、ダウンコンバート、およびデジタル化）し得る。各復調器１０５４は、受信されたシンボルを取得するために、（たとえば、ＯＦＤＭなどのために）入力サンプルをさらに処理し得る。ＭＩＭＯ検出器１０５６は、すべての復調器１０５４−ａ〜１０５４−ｎから受信シンボルを取得し、適用可能な場合は受信シンボルに対してＭＩＭＯ検出を実行し、検出されたシンボルを与え得る。受信（Ｒｘ）プロセッサ１０５８は、検出されたシンボルを処理（たとえば、復調、デインターリーブ、および復号）し得、ＵＥ１０１５のための復号データをデータ出力に供給し、復号された制御情報をプロセッサ１０８０、またはメモリ１０８２に提供し得る。プロセッサ１０８０は、認可および／または無認可無線周波数スペクトル帯域の中でＬＴＥベースの通信を受信するとき、干渉消去に関した様々な機能を実行する、または調整する際に使用されるモジュールまたは機能１０８１を含む、またはそれに関連付けられ得る。たとえば、モジュールまたは機能１０８１は、図６、図７Ａ、図８、および／または図９を参照して説明した統合された受信機モジュール６２０、７１０、８６５、および／または９７５の機能の一部もしくは全部を実行または調整することができる。
【０１４０】
[0155]アップリンク（ＵＬ）では、ＵＥ１０１５において、送信（Ｔｘ）プロセッサ１０６４は、データソースからのデータを受信し、処理し得る。送信プロセッサ１０６４はまた、基準信号用の基準シンボルを生成し得る。送信プロセッサ１０６４からのシンボルは、適用可能な場合は送信（Ｔｘ）ＭＩＭＯプロセッサ１０６６によってプリコーディングされ、送信（Ｔｘ）復調器１０５４−ａ〜１０５４−ｎによって（たとえば、ＳＣ−ＦＤＭＡなどのために）さらに処理され、ｅＮＢ１００５から受信された送信パラメータに従ってｅＮＢ１００５に送信され得る。ｅＮＢ１００５において、ＵＥ１０１５からのＵＬ信号がアンテナ１０３４によって受信され、受信機（Ｒｘ）復調器１０３２によって処理され、適用可能な場合はＭＩＭＯ検出器１０３６によって検出され、受信（Ｒｘ）プロセッサ１０３８によってさらに処理され得る。受信プロセッサ１０３８は、復号データをデータ出力およびプロセッサ１０４０に与え得る。プロセッサ１０４０は、認可および／または無認可無線周波数スペクトル帯域の中でＬＴＥベースの通信を受信するとき、干渉消去に関した様々な機能を実行する、または調整する際に使用されるモジュールまたは機能１０４１を含む、またはそれに関連付けられ得る。たとえば、モジュールまたは機能１０４１は、図６、図７Ａ、図８、および／または図９を参照して説明した統合された受信機モジュール６２０、７１０、８６５、および／または９７５の機能の一部もしくは全部を実行または調整することができる。
【０１４１】
[0156]ｅＮＢ１００５の構成要素は、個別にまたは集合的に、ハードウェア中の適用可能な機能の一部または全部を実行するように構成された１つまたは複数のＡＳＩＣを用いて実装され得る。言及したモジュールの各々は、システム１０００の動作に関係する１つまたは複数の機能を実施するための手段であり得る。同様に、ＵＥ１０１５の構成要素は、個別にまたは集合的に、ハードウェア中の適用可能な機能の一部または全部を実行するように適用された１つまたは複数のＡＳＩＣを用いて実装され得る。言及した構成要素の各々は、システム１０００の動作に関する１つまたは複数の機能を実行するための手段であり得る。
【０１４２】
[0157]図１１は、ワイヤレス通信のための方法１１００の一例を示すフローチャートである。明確化のために、方法１１００は、図１、図２、図３、図７Ａ、図８、および／もしくは図１０を参照しながら説明したｅＮＢまたはデバイス１０５、２０５、３０５、７０５、８０５、および／もしくは１００５のうちの１つ、または図１、図２、図３、図７、図９、および／もしくは図１０を参照しながら説明したＵＥもしくはデバイス１１５、２１５、３１５、７０５、９１５、および／もしくは１０１５のうちの１つ、または図６、図７Ａ、図８、および／もしくは図９を参照しながら説明した統合された受信機モジュール６２０、７１０、８６５、および／もしくは９７５のうちの１つを参照しながら以下で説明される。一例では、ｅＮＢ、ＵＥ、または統合された受信機モジュールは、以下で説明される機能を実行するようにｅＮＢ、ＵＥ、セルラー受信機、および／またはＷＬＡＮ受信機の機能要素を制御するためのコードの１つもしくは複数のセットを実行し得る。
【０１４３】
[0158]ブロック１１０５で、無認可無線周波数スペクトルの帯域幅を通じて少なくともＷＬＡＮ信号とセルラー信号とを含む複数の信号が受信され得る。ブロック１１０５における動作は、いくつかの場合には、図６、図７Ａ、図８、および／もしくは図９を参照しながら説明した統合された受信機モジュール６２０、７１０、８６５、および／もしくは９７５、図６を参照しながら説明したＲＦモジュール６３０およびＡ−Ｄモジュール６４０、図７Ａを参照しながら説明したＲＦフロンドエンド７１５およびＡ−Ｄ変換器７２０、ならびに／または図１０を参照しながら説明したＲｘ変調器１０３２−ａ〜１０３２−ｘもしくは１０５４−ａ〜１０５４−ｘを使用して実行され得る。
【０１４４】
[0159]ブロック１１１０で、複数の信号のデジタルサンプルがバッファに記憶され得る。ブロック１１１０における動作は、いくつかの場合には、図６、図７Ａ、図８、および／もしくは図９を参照しながら説明した統合された受信機モジュール６２０、７１０、８６５、および／もしくは９７５、図６を参照しながら説明したバッファ６５０、図７Ａを参照しながら説明した共有バッファ７２５、ならびに／または図１０を参照しながら説明したモジュールまたは機能１０４１または１０８１を使用して実行され得る。
【０１４５】
[0160]ブロック１１１５で、記憶されたデジタルサンプルからＷＬＡＮ信号の少なくとも一部分が再構成され得る。いくつかの場合には、ＷＬＡＮ信号の少なくとも一部分を再構成することは、複数の信号におけるセルラー信号の持続時間を識別することと、ＷＬＡＮ信号の再構成された部分がセルラー信号の持続時間と同じ持続時間を有するように、ＷＬＡＮ信号の少なくとも一部分を再構成することとを含み得る。同じまたは他の場合には、ＷＬＡＮ信号の少なくとも一部分を再構成することは、複数の信号におけるセルラー信号の帯域幅を識別することと、ＷＬＡＮ信号の再構成された部分がセルラー信号の帯域幅と同じ帯域幅を有するように、ＷＬＡＮ信号の少なくとも一部分を再構成することとを含み得る。また、同じまたは他の場合には、ＷＬＡＮ信号の少なくとも一部分を再構成することは、複数の信号のエネルギーに対応するメトリックを追跡することと、追跡されているメトリックがしきい値を超えるまで、ＷＬＡＮ信号の少なくとも一部分を再構成することとを含み得る。たとえば、ＷＬＡＮ信号によってもたらされる干渉がもはや存在しない、または受け入れ可能な制限内にないので、しきい値を超えることは、ＷＬＡＮ信号を再構成する必要がもはや存在しないことを示し得る。
【０１４６】
[0161]少なくともＷＬＡＮ信号の一部分は、いくつかの場合には、バッファからの記憶されたデジタルサンプルにアクセスするＷＬＡＮ受信機によって再構成され得る。ＷＬＡＮ受信機は、ＷＬＡＮ信号を送信したアクセスポイントに関連付けられることなしに、ＷＬＡＮ信号の少なくとも一部分の再構成を実行するように構成され得る。したがって、たとえば、ＷＬＡＮ受信機は、ＷＬＡＮ受信機に向けられなかったＷＬＡＮ信号の少なくとも一部分を再構成し得る。
【０１４７】
[0162]ブロック１１１５における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１４８】
[0163]ブロック１１２０で、バッファのコンテンツがセルラー受信機（たとえば、ＬＴＥ受信機）によるセルラー信号の復調および復号のために周波数領域に変換される前に、ＷＬＡＮ信号の再構成された部分が、記憶されたデジタルサンプルから削除され得る。ブロック１１２０における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｃを参照しながら説明したセルラー受信機もしくは受信機モジュール６６０、７３０、および／もしくは７８０、ならびに／または図１０を参照しながら説明したモジュールもしくは機能１０４１もしくは１０８１を使用して実行され得る。
【０１４９】
[0164]したがって、方法１１００はワイヤレス通信を提供し得る。方法１１００は一実装形態にすぎず、方法１１００の動作は、他の実装形態が可能であるように再構成あるいは修正されてよいことに留意されたい。
【０１５０】
[0165]図１２は、ワイヤレス通信のための方法１２００の一例を示すフローチャートである。明確化のために、方法１２００は、図１、図２、図３、図７Ａ、図８、および／もしくは図１０を参照しながら説明したｅＮＢまたはデバイス１０５、２０５、３０５、７０５、８０５、および／もしくは１００５のうちの１つ、または図１、図２、図３、図７、図９、および／もしくは図１０を参照しながら説明したＵＥもしくはデバイス１１５、２１５、３１５、７０５、９１５、および／もしくは１０１５のうちの１つ、または図６、図７Ａ、図８、および／もしくは図９を参照しながら説明した統合された受信機モジュール６２０、７１０、８６５、および／もしくは９７５のうちの１つを参照しながら以下で説明される。一例では、ｅＮＢ、ＵＥ、または受信機（たとえば、統合された受信機モジュールを含む）は、後述する機能を実行するためにｅＮＢ、ＵＥ、セルラー受信機および／またはＷＬＡＮ受信機の機能要素を制御するために、コードの１つまたは複数のセットを実行することができる。
【０１５１】
[0166]ブロック１２０５で、無認可無線周波数スペクトルの帯域幅を通じて少なくともＷＬＡＮ信号とセルラー信号とを含む複数の信号が受信され得る。ブロック１２０５における動作は、いくつかの場合には、図６、図７Ａ、図８、および／もしくは図９を参照しながら説明した統合された受信機モジュール６２０、７１０、８６５、および／もしくは９７５、図６を参照しながら説明したＲＦモジュール６３０およびＡ−Ｄモジュール６４０、図７Ａを参照しながら説明したＲＦフロンドエンド７１５およびＡ−Ｄ変換器７２０、ならびに／または図１０を参照しながら説明したＲｘ変調器１０３２−ａ〜１０３２−ｘもしくは１０５４−ａ〜１０５４−ｘを使用して実行され得る。
【０１５２】
[0167]ブロック１２１０で、複数の信号のデジタルサンプルがバッファに記憶され得る。ブロック１２１０における動作は、いくつかの場合には、図６、図７Ａ、図８、および／もしくは図９を参照しながら説明した統合された受信機モジュール６２０、７１０、８６５、および／もしくは９７５、図６を参照しながら説明したバッファ６５０、図７Ａを参照しながら説明した共有バッファ７２５、ならびに／または図１０を参照しながら説明したモジュールまたは機能１０４１または１０８１を使用して実行され得る。
【０１５３】
[0168]ブロック１２１５で、ＷＬＡＮプリアンブルは記憶されたデジタルサンプルから検出され得、ブロック１２２０で、ＷＬＡＮプリアンブルはＷＬＡＮペイロードについての変調および符号化情報を識別するために復号され得る。
【０１５４】
[0169]ブロック１２２５で、ＷＬＡＮペイロードの少なくとも一部分を復調し復号することによって、記憶されたデジタルサンプルからＷＬＡＮ信号の少なくとも一部分が再構成され得る。ＷＬＡＮペイロード（または少なくともその一部）は、ＷＬＡＮプリアンブルを復号することから得られる復調および符号化情報に少なくとも部分的に基づいて、復調および復号され得る。いくつかの場合には、ＷＬＡＮ信号の少なくとも一部分を再構成することは、複数の信号におけるセルラー信号の持続時間を識別することと、ＷＬＡＮ信号の再構成された部分がセルラー信号の持続時間と同じ持続時間を有するように、ＷＬＡＮ信号の少なくとも一部分を再構成することとを含み得る。同じまたは他の場合には、ＷＬＡＮ信号の少なくとも一部分を再構成することは、複数の信号におけるセルラー信号の帯域幅を識別することと、ＷＬＡＮ信号の再構成された部分がセルラー信号の帯域幅と同じ帯域幅を有するように、ＷＬＡＮ信号の少なくとも一部分を再構成することとを含み得る。また、同じまたは他の場合には、ＷＬＡＮ信号の少なくとも一部分を再構成することは、複数の信号のエネルギーに対応するメトリックを追跡することと、追跡されているメトリックがしきい値を超えるまで、ＷＬＡＮ信号の少なくとも一部分を再構成することとを含み得る。たとえば、ＷＬＡＮ信号によってもたらされる干渉がもはや存在しない、または受け入れ可能な制限内にないので、しきい値を超えることは、ＷＬＡＮ信号を再構成する必要がもはや存在しないことを示し得る。
【０１５５】
[0170]少なくともＷＬＡＮ信号の一部分は、いくつかの場合には、バッファからの記憶されたデジタルサンプルにアクセスするＷＬＡＮ受信機によって再構成され得る。ＷＬＡＮ受信機は、ＷＬＡＮ信号を送信したアクセスポイントに関連付けられることなしに、ＷＬＡＮ信号の少なくとも一部分の再構成を実行するように構成され得る。したがって、たとえば、ＷＬＡＮ受信機は、ＷＬＡＮ受信機に向けられなかったＷＬＡＮ信号の少なくとも一部分を再構成し得る。
【０１５６】
[0171]ブロック１２１５、１２２０、および／もしくは１２２５における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１５７】
[0172]ブロック１２３０で、バッファのコンテンツがセルラー受信機（たとえば、ＬＴＥ受信機）によるセルラー信号の復調および復号のために周波数領域に変換される前に、ＷＬＡＮ信号の再構成された部分が、記憶されたデジタルサンプルから削除され得る。ブロック１２３０における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｃを参照しながら説明したセルラー受信機もしくは受信機モジュール６６０、７３０、および／もしくは７８０、ならびに／または図１０を参照しながら説明したモジュールもしくは機能１０４１もしくは１０８１を使用して実行され得る。
【０１５８】
[0173]したがって、方法１２００はワイヤレス通信を提供し得る。方法１２００は一実装形態にすぎず、方法１２００の動作は、他の実装形態が可能であるように再構成あるいは修正されてよいことに留意されたい。
【０１５９】
[0174]図１３は、ワイヤレス通信のための方法１３００の一例を示すフローチャートである。明確化のために、方法１３００は、図１、図２、図３、図７Ａ、図８、および／もしくは図１０を参照しながら説明したｅＮＢまたはデバイス１０５、２０５、３０５、７０５、８０５、および／もしくは１００５のうちの１つ、または図１、図２、図３、図７、図９、および／もしくは図１０を参照しながら説明したＵＥもしくはデバイス１１５、２１５、３１５、７０５、９１５、および／もしくは１０１５のうちの１つ、または図６、図７Ａ、図８、および／もしくは図９を参照しながら説明した統合された受信機モジュール６２０、７１０、８６５、および／もしくは９７５のうちの１つを参照しながら以下で説明される。一例では、ｅＮＢ、ＵＥ、または統合された受信機モジュールは、以下で説明される機能を実行するようにｅＮＢ、ＵＥ、セルラー受信機、および／またはＷＬＡＮ受信機の機能要素を制御するためのコードの１つもしくは複数のセットを実行し得る。
【０１６０】
[0175]ブロック１３０５で、無認可無線周波数スペクトルの帯域幅を通じて複数の信号が受信され得る。ブロック１３０５における動作は、いくつかの場合には、図６、図７Ａ、図８、および／もしくは図９を参照しながら説明した統合された受信機モジュール６２０、７１０、８６５、および／もしくは９７５、図６を参照しながら説明したＲＦモジュール６３０およびＡ−Ｄモジュール６４０、図７Ａを参照しながら説明したＲＦフロンドエンド７１５、ならびに／または図１０を参照しながら説明したＲｘ変調器１０３２−ａ〜１０３２−ｘもしくは１０５４−ａ〜１０５４−ｘを使用して実行され得る。
【０１６１】
[0176]ブロック１３１０で、複数の信号における干渉信号を削除するためにＣＷＩＣを適用すべきか、ＳＬＩＣを適用すべきかが決定され得る。その決定は、干渉信号が複数の信号におけるセルラー信号のための所望の信号ウィンドウ内にあるか、サポートされた帯域幅内にあるかに少なくとも部分的に基づき得る。干渉信号は、いくつかの場合には、ＷＬＡＮ信号であり得る。ブロック１３１０における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１６２】
[0177]したがって、方法１３００はワイヤレス通信を提供し得る。方法１３００は一実装形態にすぎず、方法１３００の動作は、他の実装形態が可能であるように再構成あるいは修正されてよいことに留意されたい。
【０１６３】
[0178]図１４は、ワイヤレス通信のための方法１４００の一例を示すフローチャートである。明確化のために、方法１４００は、図１、図２、図３、図７Ａ、図８、および／もしくは図１０を参照しながら説明したｅＮＢまたはデバイス１０５、２０５、３０５、７０５、８０５、および／もしくは１００５のうちの１つ、または図１、図２、図３、図７、図９、および／もしくは図１０を参照しながら説明したＵＥもしくはデバイス１１５、２１５、３１５、７０５、９１５、および／もしくは１０１５のうちの１つ、または図６、図７Ａ、図８、および／もしくは図９を参照しながら説明した統合された受信機モジュール６２０、７１０、８６５、および／もしくは９７５のうちの１つを参照しながら以下で説明される。一例では、ｅＮＢ、ＵＥ、または統合された受信機モジュールは、以下で説明される機能を実行するようにｅＮＢ、ＵＥ、セルラー受信機、および／またはＷＬＡＮ受信機の機能要素を制御するためのコードの１つもしくは複数のセットを実行し得る。
【０１６４】
[0179]ブロック１４０５で、無認可無線周波数スペクトルの帯域幅を通じて複数の信号が受信され得る。ブロック１４０５における動作は、いくつかの場合には、図６、図７Ａ、図８、および／もしくは図９を参照しながら説明した統合された受信機モジュール６２０、７１０、８６５、および／もしくは９７５、図６を参照しながら説明したＲＦモジュール６３０およびＡ−Ｄモジュール６４０、図７Ａを参照しながら説明したＲＦフロンドエンド７１５、ならびに／または図１０を参照しながら説明したＲｘ変調器１０３２−ａ〜１０３２−ｘもしくは１０５４−ａ〜１０５４−ｘを使用して実行され得る。
【０１６５】
[0180]ブロック１４１０およびブロック１４１５で、複数の信号における干渉信号を削除するためにＣＷＩＣを適用すべきか、ＳＬＩＣを適用すべきかが決定され得る。その決定は、干渉信号が複数の信号におけるセルラー信号のための所望の信号ウィンドウ内にあるか、サポートされた帯域幅内にあるかに少なくとも部分的に基づき得る。干渉信号は、いくつかの場合には、ＷＬＡＮ信号であり得る。
【０１６６】
[0181]所望の信号および／またはサポートされた帯域幅内の干渉信号の一部分が再構成されるとき、ならびに干渉信号が少なくとも部分的に所望の信号ウィンドウの外にある、および／または少なくとも部分的に、サポートされた帯域幅の外にあるという決定がブロック１４１０で行われたとき、干渉信号を削除するために、ＳＬＩＣが適用され得る。所望の信号および／またはサポートされた帯域幅内の干渉信号の一部分が再構成されるとき、ならびに干渉信号が所望の信号ウィンドウ内にある、または所望の帯域幅内にあるという決定がブロック１４１５で行われたとき、干渉信号を削除するために、（あまり頑強ではないが、ＳＬＩＣが適用されることもあり得るが）ＣＷＩＣが適用され得る。干渉信号がサポートされた帯域幅の外にある、および／または所望の信号ウィンドウの外にあるという決定がブロック１４１５で行われたとき、ならびに拡張された帯域幅および／または拡張された信号ウィンドウ（すなわち、干渉信号の周波数または時間の範囲を含む帯域幅または信号ウィンドウ）を使用して干渉信号が再構成されるとき、干渉信号を削除するために、（ＳＬＩＣが適用されてもよいが）ＣＷＩＣが適用され得る。
【０１６７】
[0182]ブロック１４１０および／もしくはブロック１４１５における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１６８】
[0183]したがって、方法１４００はワイヤレス通信を提供し得る。方法１４００は一実装形態にすぎず、方法１４００の動作は、他の実装形態が可能であるように再構成あるいは修正されてよいことに留意されたい。
【０１６９】
[0184]図１５は、ワイヤレス通信のための方法１５００の一例を示すフローチャートである。明確化のために、方法１５００は、図１、図２、図３、図７Ａ、図８、および／もしくは図１０を参照しながら説明したｅＮＢまたはデバイス１０５、２０５、３０５、７０５、８０５、および／もしくは１００５のうちの１つ、または図１、図２、図３、図７、図９、および／もしくは図１０を参照しながら説明したＵＥもしくはデバイス１１５、２１５、３１５、７０５、９１５、および／もしくは１０１５のうちの１つ、または図６、図７Ａ、図８、および／もしくは図９を参照しながら説明した統合された受信機モジュール６２０、７１０、８６５、および／もしくは９７５のうちの１つを参照しながら以下で説明される。一例では、ｅＮＢ、ＵＥ、または統合された受信機モジュールは、以下で説明される機能を実行するようにｅＮＢ、ＵＥ、セルラー受信機、および／またはＷＬＡＮ受信機の機能要素を制御するためのコードの１つもしくは複数のセットを実行し得る。
【０１７０】
[0185]ブロック１５０５で、無認可無線周波数スペクトルの帯域幅を通じて少なくともセルラー信号と干渉信号とを含む複数の信号が受信され得る。干渉信号は、いくつかの場合には、ＷＬＡＮ信号であり得る。ブロック１５０５における動作は、いくつかの場合には、図６、図７Ａ、図８、および／もしくは図９を参照しながら説明した統合された受信機モジュール６２０、７１０、８６５、および／もしくは９７５、図６を参照しながら説明したＲＦモジュール６３０およびＡ−Ｄモジュール６４０、図７Ａを参照しながら説明したＲＦフロンドエンド７１５、ならびに／または図１０を参照しながら説明したＲｘ変調器１０３２−ａ〜１０３２−ｘもしくは１０５４−ａ〜１０５４−ｘを使用して実行され得る。
【０１７１】
[0186]ブロック１５１０で、干渉信号のプリアンブルから干渉信号の持続時間が識別され得る。ブロック１５１０における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１７２】
[0187]ブロック１５１５で、および少なくとも部分的に干渉信号の持続時間に基づいて、（たとえばＬＴＥ受信機など）セルラー信号を復調し復号するように構成されるセルラー受信機が適応され得る。ブロック１５１５における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１７３】
[0188]したがって、方法１５００はワイヤレス通信を提供し得る。方法１５００は一実装形態にすぎず、方法１５００の動作は、他の実装形態が可能であるように再構成あるいは修正されてよいことに留意されたい。
【０１７４】
[0189]図１６は、ワイヤレス通信のための方法１６００の一例を示すフローチャートである。明確化のために、方法１６００は、図１、図２、図３、図７Ａ、図８、および／もしくは図１０を参照しながら説明したｅＮＢまたはデバイス１０５、２０５、３０５、７０５、８０５、および／もしくは１００５のうちの１つ、または図１、図２、図３、図７、図９、および／もしくは図１０を参照しながら説明したＵＥもしくはデバイス１１５、２１５、３１５、７０５、９１５、および／もしくは１０１５のうちの１つ、または図６、図７Ａ、図８、および／もしくは図９を参照しながら説明した統合された受信機モジュール６２０、７１０、８６５、および／もしくは９７５のうちの１つを参照しながら以下で説明される。一例では、ｅＮＢ、ＵＥ、または統合された受信機モジュールは、以下で説明される機能を実行するようにｅＮＢ、ＵＥ、セルラー受信機、および／またはＷＬＡＮ受信機の機能要素を制御するためのコードの１つもしくは複数のセットを実行し得る。
【０１７５】
[0190]ブロック１６０５で、無認可無線周波数スペクトルの帯域幅を通じて少なくともセルラー信号と干渉信号とを含む複数の信号が受信され得る。干渉信号は、いくつかの場合には、ＷＬＡＮ信号であり得る。ブロック１６０５における動作は、いくつかの場合には、図６、図７Ａ、図８、および／もしくは図９を参照しながら説明した統合された受信機モジュール６２０、７１０、８６５、および／もしくは９７５、図６を参照しながら説明したＲＦモジュール６３０およびＡ−Ｄモジュール６４０、図７Ａを参照しながら説明したＲＦフロンドエンド７１５、ならびに／または図１０を参照しながら説明したＲｘ変調器１０３２−ａ〜１０３２−ｘもしくは１０５４−ａ〜１０５４−ｘを使用して実行され得る。
【０１７６】
[0191]ブロック１６１０で、干渉信号のプリアンブルから干渉信号の持続時間が識別され得る。ブロック１６１０における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１７７】
[0192]ブロック１６１５およびブロック１６２０で、ならびに少なくとも部分的に干渉信号の持続時間に基づいて、（たとえばＬＴＥ受信機など）セルラー信号を復調し復号するように構成されるセルラー受信機が適応され得る。いくつかの場合には、適応は、干渉信号の間に第１のノイズ推定技法または分解能をセルラー信号に適用すること（ブロック１６１５）と、干渉信号の持続時間外に第２のノイズ推定技法または分解能をセルラー信号に適用すること（ブロック１６２０）とを含み得る。
【０１７８】
[0193]他の場合には、セルラー受信機の適応は、１）干渉信号の間に生じるセルラー信号におけるコードブロックを識別することと、２）干渉信号の持続時間外に生じるセルラー信号における任意の残りのコードブロックを復号する前に識別されたコードブロックを復号することとを含み得る。さらに他の場合では、セルラー受信機の適応は、ＣＳＩレポートから、干渉信号に関する情報を削除することを含み得る。たとえば、干渉信号の持続時間がしきい値未満であるとき、情報が削除され得る。いくつかの場合には、２つ以上のセルラー受信機の適応が結合され得る。
【０１７９】
[0194]ブロック１６１５および／もしくは１６２０における動作は、いくつかの場合には、図６、図７Ａ、図８、および／もしくは図９を参照しながら説明した統合された受信機モジュール６２０、７１０、８６５、および／もしくは９７５、図６、図７Ａ、および／もしくは図７Ｂを参照しながら説明したＷＬＡＮ受信機もしくはＷＬＡＮ受信機モジュール６７０、７３５、および／もしくは７５０、ならびに／または図１０を参照しながら説明したモジュールもしくは機能１０４１もしくは１０８１を使用して実行され得る。
【０１８０】
[0195]したがって、方法１６００はワイヤレス通信を提供し得る。方法１６００は一実装形態にすぎず、方法１６００の動作は、他の実装形態が可能であるように再構成あるいは修正されてよいことに留意されたい。
【０１８１】
[0196]添付の図面に関して上記に記載された発明を実施するための形態は例示的な実施形態を記載しており、実装され得るまたは特許請求の範囲内に入る実施形態のみを表すものではない。この明細書全体にわたって使用される「例示的」という用語は、「例、事例、または例示の働きをすること」を意味し、「好ましい」または「他の実施形態よりも有利である」ことを意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０１８２】
[0197]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１８３】
[0198]本明細書の開示に関連して説明された様々な例示的な論理ブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタロジック、個別ハードウェア構成要素、あるいは本明細書で説明された機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していてもよく、メモリは、プロセッサによって実行可能な命令を記憶する。
【０１８４】
[0199]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を通じて送信され得る。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的ロケーションに実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１８５】
[0200]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他の遠隔ソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１８６】
[0201]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示される原理および新規の特徴に合致する最も広い範囲を与えられるべきである。
以下に、本願出願の当初の特許請求の範囲に記載された発明を付記する。
書類名］特許請求の範囲
［Ｃ１］
ワイヤレス通信のための方法であって、
セルラー受信機が、無認可無線周波数スペクトル帯域の帯域幅を通じて少なくともワイヤレスローカルエリアネットワーク（ＷＬＡＮ）信号とセルラー信号とを備える複数の信号を受信することと、
前記複数の信号のデジタルサンプルをバッファに記憶することと、
ＷＬＡＮ受信機が、前記記憶されたデジタルサンプルから前記ＷＬＡＮ信号の少なくとも一部分を再構成することと、
前記バッファのコンテンツが前記セルラー受信機による前記セルラー信号の復調および復号のために周波数領域に変換される前に、前記ＷＬＡＮ信号の前記再構成された部分を、前記記憶されたデジタルサンプルから削除することと
を備える方法。
［Ｃ２］
前記ＷＬＡＮ信号の少なくとも一部分を再構成することは、
前記記憶されたデジタルサンプルからＷＬＡＮプリアンブルを検出することと、
ＷＬＡＮペイロードについての変調および符号化情報を識別するために、前記ＷＬＡＮプリアンブルを復号することと、
少なくとも部分的に前記変調および符号化情報に基づいて、前記ＷＬＡＮペイロードの少なくとも一部分を復調し復号することと
を備える、［Ｃ１］に記載の方法。
［Ｃ３］
前記ＷＬＡＮ信号の少なくとも一部分を再構成することは、
前記複数の信号における前記セルラー信号の持続時間を識別することと、
前記ＷＬＡＮ信号の前記再構成された部分が前記セルラー信号の前記持続時間と同じ持続時間を有するように、前記ＷＬＡＮ信号の少なくとも一部分を再構成することと
を備える、［Ｃ１］に記載の方法。
［Ｃ４］
前記ＷＬＡＮ信号の少なくとも一部分を再構成することは、
前記複数の信号における前記セルラー信号の帯域幅を識別することと、
前記ＷＬＡＮ信号の前記再構成された部分が前記セルラー信号の前記帯域幅と同じ帯域幅を有するように、前記ＷＬＡＮ信号の少なくとも一部分を再構成することと
を備える、［Ｃ１］に記載の方法。
［Ｃ５］
前記ＷＬＡＮ信号の少なくとも一部分を再構成することは、
前記複数の信号のエネルギーに対応するメトリックを追跡することと、
追跡されている前記メトリックがしきい値を超えるまで、前記ＷＬＡＮ信号の少なくとも一部分を再構成することと
を備える、［Ｃ１］に記載の方法。
［Ｃ６］
前記ＷＬＡＮ信号の少なくとも一部分の前記再構成を実行するために、前記ＷＬＡＮ受信機によって前記バッファからの前記記憶されたデジタルサンプルにアクセスすることをさらに備える、
［Ｃ１］に記載の方法。
［Ｃ７］
前記ＷＬＡＮ受信機は、前記ＷＬＡＮ信号を送信したアクセスポイントに関連付けられることなしに、前記ＷＬＡＮ信号の少なくとも一部分の前記再構成を実行するように構成される、
［Ｃ６］に記載の方法。
［Ｃ８］
前記方法は、発展型ノードＢ（ｅＮＢ）とＵＥとから成るグループのうちの１つによって実行される、
［Ｃ１］に記載の方法。
［Ｃ９］
前記セルラー受信機は、ロングタームエボリューション（ＬＴＥ）受信機を備える、
［Ｃ１］に記載の方法。
［Ｃ１０］
ワイヤレス通信のための装置であって、
セルラー受信機が、無認可無線周波数スペクトル帯域の帯域幅を通じて少なくともワイヤレスローカルエリアネットワーク（ＷＬＡＮ）信号とセルラー信号とを備える複数の信号を受信するための手段と、
前記複数の信号のデジタルサンプルをバッファに記憶するための手段と、
前記記憶されたデジタルサンプルから前記ＷＬＡＮ信号の少なくとも一部分をＷＬＡＮ受信機によって再構成するための手段と、
前記バッファのコンテンツが前記セルラー受信機による前記セルラー信号の復調および復号のために周波数領域に変換される前に、前記ＷＬＡＮ信号の前記再構成された部分を、前記記憶されたデジタルサンプルから削除するための手段と
を備える装置。
［Ｃ１１］
前記ＷＬＡＮ信号の少なくとも一部分を前記再構成するための手段は、
前記記憶されたデジタルサンプルからＷＬＡＮプリアンブルを検出するための手段と、
ＷＬＡＮペイロードについての変調および符号化情報を識別するために、前記ＷＬＡＮプリアンブルを復号するための手段と、
少なくとも部分的に前記変調および符号化情報に基づいて、前記ＷＬＡＮペイロードの少なくとも一部分を復調し復号するための手段と
を備える、［Ｃ１０］に記載の装置。
［Ｃ１２］
前記ＷＬＡＮ信号の少なくとも一部分を前記再構成するための手段は、
前記複数の信号における前記セルラー信号の持続時間を識別するための手段と、
前記ＷＬＡＮ信号の前記再構成された部分が前記セルラー信号の前記持続時間と同じ持続時間を有するように、前記ＷＬＡＮ信号の少なくとも一部分を再構成するための手段と
を備える、［Ｃ１０］に記載の装置。
［Ｃ１３］
前記ＷＬＡＮ信号の少なくとも一部分を前記再構成するための手段は、
前記複数の信号における前記セルラー信号の帯域幅を識別するための手段と、
前記ＷＬＡＮ信号の前記再構成された部分が前記セルラー信号の前記帯域幅と同じ帯域幅を有するように、前記ＷＬＡＮ信号の少なくとも一部分を再構成するための手段と
を備える、［Ｃ１０］に記載の装置。
［Ｃ１４］
前記ＷＬＡＮ信号の少なくとも一部分を再構成するための前記手段が、
前記複数の信号のエネルギーに対応するメトリックを追跡するための手段と、
追跡されている前記メトリックがしきい値を超えるまで、前記ＷＬＡＮ信号の少なくとも一部分を再構成するための手段と
を備える、［Ｃ１０］に記載の装置。
［Ｃ１５］
前記ＷＬＡＮ受信機が、前記ＷＬＡＮ信号の少なくとも一部分の前記再構成を実行するために、前記バッファからの前記記憶されたデジタルサンプルにアクセスするための手段をさらに備える、
［Ｃ１０］に記載の装置。
［Ｃ１６］
前記ＷＬＡＮ受信機は、前記ＷＬＡＮ信号を送信したアクセスポイントに関連付けられることなしに、前記ＷＬＡＮ信号の少なくとも一部分の前記再構成を実行するように構成される、
［Ｃ１５］に記載の装置。
［Ｃ１７］
ワイヤレス通信のための方法であって、
無認可無線周波数スペクトル帯域の帯域幅を通じて複数の信号を受信することと、
前記複数の信号における干渉信号を削除するためにコードワードレベルの干渉消去（ＣＷＩＣ）を適用すべきか、シンボルレベルの干渉消去（ＳＬＩＣ）を適用すべきかを決定することと
を備え、前記決定は、前記干渉信号が前記複数の信号におけるセルラー信号のための所望の信号ウィンドウ内にあるか、サポートされた帯域幅内にあるかに少なくとも部分的に基づく、
方法。
［Ｃ１８］
前記干渉信号が少なくとも部分的に、前記サポートされた帯域幅の外にある旨の決定がなされたとき、前記干渉信号を削除するためにＳＬＩＣを適用することをさらに備える、
［Ｃ１７］に記載の方法。
［Ｃ１９］
前記干渉信号が前記サポートされた帯域幅内にある旨の決定がなされたとき、前記干渉信号を削除するためにＣＷＩＣまたはＳＬＩＣを適用することをさらに備える、
［Ｃ１７］に記載の方法。
［Ｃ２０］
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用することをさらに備える、
［Ｃ１７］に記載の方法。
［Ｃ２１］
前記干渉信号が少なくとも部分的に前記所望の信号ウィンドウの外にある旨の決定がなされたとき、前記干渉信号を削除するためにＳＬＩＣを適用することをさらに備える、
［Ｃ１７］に記載の方法。
［Ｃ２２］
前記干渉信号が前記所望の信号ウィンドウ内にある旨の決定がなされたとき、前記干渉信号を削除するためにＣＷＩＣまたはＳＬＩＣを適用することをさらに備える、
［Ｃ１７］に記載の方法。
［Ｃ２３］
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用することをさらに備える、
［Ｃ１７］に記載の方法。
［Ｃ２４］
ワイヤレス通信のための装置であって、
無認可無線周波数スペクトル帯域の帯域幅を通じて複数の信号を受信するための手段と、
前記複数の信号における干渉信号を削除するためにコードワードレベルの干渉消去（ＣＷＩＣ）を適用すべきか、シンボルレベルの干渉消去（ＳＬＩＣ）を適用すべきかを決定するための手段と
を備え、前記決定は、前記干渉信号が前記複数の信号におけるセルラー信号のための所望の信号ウィンドウ内にあるか、サポートされた帯域幅内にあるかに少なくとも部分的に基づく、
装置。
［Ｃ２５］
前記干渉信号が少なくとも部分的に前記サポートされた帯域幅の外にある旨の決定がなされたとき、前記干渉信号を削除するためにＳＬＩＣを適用するための手段をさらに備える、
［Ｃ２４］に記載の装置。
［Ｃ２６］
前記干渉信号が前記サポートされた帯域幅内にある旨の決定がなされたとき、前記干渉信号を削除するためにＣＷＩＣまたはＳＬＩＣを適用するための手段をさらに備える、
［Ｃ２４］に記載の装置。
［Ｃ２７］
前記干渉信号が前記サポートされた帯域幅の外にある旨の決定がなされたとき、および前記干渉信号が拡張された帯域幅を使用して再構成されるとき、前記干渉信号を削除するためにＣＷＩＣまたはＳＬＩＣを適用するための手段をさらに備える、
［Ｃ２４］に記載の装置。
［Ｃ２８］
前記干渉信号が少なくとも部分的に前記所望の信号ウィンドウの外にある旨の決定がなされたとき、前記干渉信号を削除するためにＳＬＩＣを適用するための手段をさらに備える、
［Ｃ２４］に記載の装置。
［Ｃ２９］
前記干渉信号が前記所望の信号ウィンドウ内にある旨の決定がなされたとき、前記干渉信号を削除するためにＣＷＩＣまたはＳＬＩＣを適用するための手段をさらに備える、
［Ｃ２４］に記載の装置。
［Ｃ３０］
前記干渉信号が前記所望の信号ウィンドウの外にある旨の決定がなされたとき、および前記干渉信号が拡張された信号ウィンドウを使用して再構成されるとき、前記干渉信号を削除するためにＣＷＩＣまたはＳＬＩＣを適用するための手段をさらに備える、
［Ｃ２４］に記載の装置。
【図１】
0006513666.tif 000002
【図２】
0006513666.tif 000003
【図３】
0006513666.tif 000004
【図４】
0006513666.tif 000005
【図５Ａ】
0006513666.tif 000006
【図５Ｂ】
0006513666.tif 000007
【図６】
0006513666.tif 000008
【図７Ａ】
0006513666.tif 000009
【図７Ｂ】
0006513666.tif 000010
【図７Ｃ】
0006513666.tif 000011
【図８】
0006513666.tif 000012
【図９】
0006513666.tif 000013
【図１０】
0006513666.tif 000014
【図１１】
0006513666.tif 000015
【図１２】
0006513666.tif 000016
【図１３】
0006513666.tif 000017
【図１４】
0006513666.tif 000018
【図１５】
0006513666.tif 000019
【図１６】
0006513666.tif 000020